(57)【要約】  本開示は、ピリジノール−Ｎ−オキシド化合物を含有し、漂白剤を実質的に含有しない洗剤組成物に関する。このような洗剤組成物を使用する、染みのついた布地の処理方法もまた開示される。【特許請求の範囲】
【請求項１】
洗剤組成物であって、
ａ）第２鉄と、
ｂ）置換又は非置換の２−ピリジノールＮ−オキシド化合物、その互変異性体、又はその塩、とを含有し、漂白剤を実質的に含有しない、洗剤組成物。
【請求項２】
前記置換又は非置換の２−ピリジノールＮ−オキシド化合物が、次の構造を含み；
【化１】
2014527108.tif 000019
式中、各Ｒ１は独立してＨ、Ｃｌ、Ｂｒ、Ｉ、Ｆ、ＮＯ、ＮＯ２、（ＣＨ２）ｎＧ、及びこれらの混合物からなる群から選択され、
ここで各Ｇは独立して（Ｏ）ｍＳＯ３Ｍ、（Ｏ）ｍＣＯ２Ｍ、（Ｏ）ｍＣ（Ｏ）（Ｒ２）、（Ｏ）ｍＣ（Ｏ）Ｎ（Ｒ２）２、（Ｏ）ｍＣＮ、（Ｏ）ｍ（Ｒ２）、Ｎ（Ｒ２）２、及びその混合物からなる群から選択され、
各ｍは０又は１であり、
各ｎは０〜４の整数であり、
各Ｒ２は独立してＨ及び置換若しくは非置換Ｃ１〜Ｃ１２有機基からなる群から選択され、かつ
各Ｍは独立してＲ２（Ｒ２は上記に定義される通り）、
Ｎ＋（Ｒ２）４、及び１／ｑ  Ｍ’ｑ＋からなる群から選択され、Ｍ’は電荷ｑのアルカリ金属及び電荷ｑのアルカリ土類金属からなる群から選択され、ここで２つの隣接する任意のＲ１が一緒になって別の５員又は６員の芳香族環又は脂肪族環を形成し、５員又は６員の芳香族環又は脂肪族環は、任意でＣｌ、Ｂｒ、Ｉ、Ｆ、ＮＯ、ＮＯ２、ＣＮ、（ＣＨ２）ｎＧ、及びこれらの混合物からなる群から選択される１つ以上の基と置換されている、請求項１に記載の洗剤組成物。
【請求項３】
各Ｒ１が独立してＨ、Ｃｌ、及び（ＣＨ２）ｎＧからなる群から選択され、ここでＧは独立して（Ｏ）ｍＳＯ３Ｍ、（Ｏ）ｍＣＯ２Ｍ、（Ｏ）ｍＣ（Ｏ）（Ｒ２）、（Ｏ）ｍＣＮ、及び（Ｏ）ｍ（Ｒ２）からなる群から選択され、各ｍは０又は１であり、好ましくは各Ｒ１は独立して、Ｈ、ＳＯ３Ｍ、及びＣＯ２Ｍからなる群から選択され、かつたった１つのＲ１がＳＯ３Ｍ又はＣＯ２Ｍである、請求項２に記載の洗剤組成物。
【請求項４】
前記置換又は非置換の２−ピリジノールＮ−オキシド化合物が、ヒドロキシ−２（１Ｈ）−ピリジノン、１，６−ジヒドロ−１−ヒドロキシ−６−オキソ−３−ピリジンカルボン酸、１，２−ジヒドロ−１−ヒドロキシ−２−オキソ−４−ピリジンカルボン酸、１，６−ジヒドロ−１−ヒドロキシ−６−オキソ−２−ピリジンカルボン酸、１−ヒドロキシ−４−メチル−６−（２，４，４−トリメチルペンチル）−２（１Ｈ）−ピリジノン、６−（シクロヘキシルメチル）−１−ヒドロキシ−４−メチル−２（１Ｈ）−ピリジノン、１−ヒドロキシ−４，６−ジメチル−２（１Ｈ）−ピリジノン、１−ヒドロキシ−４−メチル−６−（２，４，４−トリメチルペンチル）−２−ピリドンモノエタノールアミン、１−ヒドロキシ−６−（オクチロキシ）−２（１Ｈ）−ピリジノン、１−ヒドロキシ−４−メチル−６−シクロヘキシル−２−ピリジノンエタノールアミン塩、１−ヒドロキシ−４−メチル−６−シクロヘキシル−２−ピリジノン、６−エトキシ−１，２−ジヒドロ−１−ヒドロキシ−２−オキソ−４−ピリジンカルボン酸，メチルエステル、１−ヒドロキシ−５−ニトロ−２（１Ｈ）−ピリジノン、２−ヒドロキシピリジン−１−オキシド、３−ピリジンカルボン酸，２−ヒドロキシ−，１−オキシド、６−ヒドロキシ−３−ピリジンカルボン酸，１−オキシド、２−ヒドロキシ−４−ピリジンカルボン酸，１−オキシド、２−ピリジンカルボン酸，６−ヒドロキシ−，１−オキシド、６−ヒドロキシ−３−ピリジンスルホン酸，１−オキシド、並びにこれらの混合物からなる群から選択される、請求項１に記載の洗剤組成物。
【請求項５】
前記置換又は非置換の２−ピリジノール−Ｎ−オキシド化合物の分子量が４００ダルトン未満である、請求項１に記載の洗剤組成物。
【請求項６】
前記組成物が、０．０５重量％〜２重量％、好ましくは０．１５重量％〜０．５重量％の前記置換又は非置換の２−ピリジノール−Ｎ−オキシド化合物を含有する、請求項１に記載の洗剤組成物。
【請求項７】
前記組成物が少なくとも０．２ｐｐｍの前記第２鉄を含有する、請求項１に記載の洗剤組成物。
【請求項８】
前記置換又は非置換のピリジノール−Ｎ−オキシド化合物と前記第２鉄とのモル比が少なくとも３：１である、請求項１に記載の洗剤組成物。
【請求項９】
前記組成物が０重量％〜０．０１重量％の漂白剤を含有する、請求項１に記載の洗剤組成物。
【請求項１０】
前記組成物が５重量％〜７０重量％の界面活性剤を更に含有し、前記界面活性剤がアニオン性界面活性剤、非イオン性界面活性剤、双性イオン性界面活性剤、アミンオキシド、及びこれらの混合物からなる群から選択される、請求項１に記載の洗剤組成物。
【請求項１１】
前記組成物が、アニオン性界面活性剤と非イオン性界面活性剤との混合物を含有し、前記アニオン性界面活性剤と前記非イオン性界面活性剤との重量比が、１０：９０〜９０：１０、好ましくは３０：７０〜７０：３０である、請求項１０に記載の洗剤組成物。
【請求項１２】
前記組成物がポリマー、ビルダー、追加のキレート剤、移染防止剤、分散剤、酵素、酵素安定剤、触媒材料、ポリマー分散剤、粘土汚れ除去剤、再付着防止剤、光沢剤、色調剤、泡抑制剤、染料、香料、香料送達系、構造化剤、キャリア、ヒドロトロープ、加工助剤、顔料、及びこれらの混合物からなる群から選択される成分を更に含有する、請求項１に記載の洗剤組成物。
【請求項１３】
前記組成物がホスホネートキレート化剤を含有する、請求項１２に記載の洗剤組成物。
【請求項１４】
染みのついた布地を処理する方法であって、
請求項１に記載の洗剤組成物を前記布地の染みのついた部分に適用する工程を含む、方法。
【請求項１５】
置換若しくは未置換の２−ピリジノール−Ｎ−オキシド化合物、その互変異性体、又はその塩の、洗浄剤としての使用。
【発明の詳細な説明】
【技術分野】
【０００１】
本開示は、ピリジノール−Ｎ−オキシド化合物を含有し、漂白剤を実質的に含有しない洗剤組成物に関する。
【背景技術】
【０００２】
キレート剤を含有する洗濯洗剤組成物は周知されている。例えば、キレート剤であるタイロン（１，２−ジヒドロキシベンゼン−３，５−ジスルホン酸）は、洗剤組成物の技術分野において洗浄剤として周知されている。タイロンは、特に漂白可能な染みに対して親水性の洗浄効果をもたらし、また、粘土解膠、懸濁、及び／又は高分子分散系との相乗作用によって微粒子洗浄を促進することもできる。しかし、タイロン及びその他の関連するキレート剤は、洗剤組成物中に汚染物質として存在し得る場合のある特定の遷移金属のイオンと結合して、有色の金属／キレート剤錯体を形成することが知られている。例えば、タイロンは第２鉄と結合して、金属イオン濃度が０．１百万分率（ｐｐｍ）、又は更にそれ未満で検出され得る赤紫色の金属／タイロン錯体を形成する。多くの洗剤組成物が、不純物として第２鉄などの溶解性鉄の濃度を含んでおり、こうした洗剤中の第２鉄の濃度は、洗剤に赤色を帯びさせるに十分な量の金属／キレート剤錯体を形成するには十分である。赤みを帯びた色は、例えば錆を連想させることがあるため、消費者は赤みを帯びた洗剤を好まない場合がある。更に、このような発色により、色むらのない最終製品を作り出すことが困難になる場合がある。
【０００３】
漂白剤及びキレート剤を含有する洗濯洗剤組成物もまた周知されている。キレート剤は組成物中、又は対象となる布地上に存在する金属イオンと結合して、例えば、過酸素漂白剤の分解速度を低下させる結果をもたらす場合があると考えられている。こうしたキレート剤の例には、エチドロン酸（ethydronic acid）、及びヒドロキシエタンジホスホン酸（ＨＥＤＰ）などのホスホネートキレート剤類、１，２−ジヒドロキシ−３，５−ジスルホベンゼン（タイロン）などの多官能置換芳香族キレート剤類、エチレンジアミン−Ｎ，Ｎ’−ジコハク酸（ＥＤＤＳ）などのコハク酸キレート剤類、ジエチレントリアミンペント酢酸（ＤＴＰＡ）及びプロピレンジアミンテトラ酢酸（ＰＤＴＡ）などのアミノカルボン酸キレート剤類、ジピコリン酸などのピリジンのポリカルボン酸類、並びにマロン酸及び例えば２−ヒドロキシピリジン−１−オキシドなどのヒドロキシピリジン−Ｎ−オキシド類を含むその他のものが挙げられる。
【０００４】
漂白剤を実質的に含有せず、キレート剤を含有し、かつ望ましからぬ発色を起こすことなく、特に漂白可能な染みに対して親水性の洗浄効果をもたらす洗剤組成物を製造することが望ましいと考えられる。このような洗剤組成物は、キレート剤としてピリジン−Ｎ−オキシドの特定の誘導体を特別に選択し、洗剤組成物に取り入れることによって製造可能であることが判明した。
【発明の概要】
【課題を解決するための手段】
【０００５】
一態様においては、本開示は、第２鉄及び置換又は非置換の２−ピリジノール−Ｎ−オキシド化合物、その互変異性体、又はその塩を含有し、かつ漂白剤を実質的に含有しない洗剤組成物を提供する。
【０００６】
別の態様では、本開示は、上記の洗剤組成物を染みのついた布地に適用することによる、染みのついた布地の処理方法及び／又は前処理方法を提供する。
【０００７】
更に別の態様では、本開示は、第２鉄、及び２−ヒドロキシピリジン−１−オキシド、３−ピリジンカルボン酸，２−ヒドロキシ，１−オキシド、６−ヒドロキシ−３−ピリジンカルボン酸，１−オキシド、２−ヒドロキシ−４−ピリジンカルボン酸，１−オキシド、２−ピリジンカルボン酸，６−ヒドロキシ−，１−オキシド、６−ヒドロキシ−３−ピリジンスルホン酸，１−オキシド、これらの互変異性体、これらの塩、並びにこれらの混合物からなる群から選択される化合物を含有し、漂白剤を実質的に含有しない洗剤組成物を提供する。
【０００８】
更に別の様態では、本開示は、布地上の親水性染みを処理するための、置換又は非置換の２−ピリジノール−Ｎ−オキシド化合物、その互変異性体、若しくはその塩の使用を提供する。
【発明を実施するための形態】
【０００９】
Ａ．定義
用語「布地」は、衣類、亜麻布、ドレーパリー、及び装身具からなる物品類を包含する。この用語は、手さげバッグ、家具カバー、防水布などのような、全体又は一部分が布地で作られた他の品目もまた包含する。
【００１０】
本明細書で使用される場合、「染み」又は「汚れ」とは、除去の対象となる布地上の望ましからぬ物質を意味する。一般的に、染みは布地の一部分にのみ見出され、汚れと布地との偶発的な接触により作り出される。本明細書で使用される場合、「親水性染み」とは、染みが最初に布地と接触した時に水からなること、又は布地上の染みがかなりの部分の水を保持していることを意味する。親水性染みには、以下の代表的な親水性汚れのうちの１つ以上が包含される：飲料類、多くの食品汚れ類、水溶性染料類、汗、尿、又は血液などの体液類、草の染み及び泥などの戸外の汚れ類。用語「疎水性染み」は、染みが主として親油性流体に対して高い溶解性又は親和性を有する親油性汚れを含有することを意味する。親油性汚れの例としては、モノグリセリド、ジグリセリド、及びトリグリセリド類、飽和及び不飽和脂肪酸類、非極性炭化水素類、ワックス及びワックスエステル類、脂質類、非イオン性界面活性剤などの洗濯用物質、並びにこれらの混合物が挙げられるが、これらに限定されない。
【００１１】
本明細書で使用する場合、特定の成分（類）を「実質的に含有しない」とは、特定の成分（類）が、意図的に組成物へ厳密に全く添加されないか、あるいは機能的に有用な量が添加されないことを意味するものと理解される。当業者であれは、微量の各種成分（類）が不純物、又は汚染物質として存在し得ることを理解するだろう。あるいは、「実質的に含有しない」とは、組成物がその組成物の約０．５重量％未満、あるいは約０．１重量％未満、又はあるいは約０．０１重量％未満の、指定された成分を含有することを意味すると理解されてもよい。当業者には、意図的に添加されたか、不純物として存在するかのいずれかである特定の成分は、最終生成物がそのような成分を０％を含む最小濃度で含有できるように、経時的に分解する、又は他の成分と反応することが可能であるということが理解される。不明確性を避けるため、組成物がある成分を「実質的に含有しない」かどうかを決定するために、例えば、組成物が製造された直後、組成物がパッケージ化される時、及び／若しくは販売のために搬送される時、消費者が組成物を入手した時、又は消費者が組成物を保管した後に、その成分の重量パーセントを測定することができる。
【００１２】
本明細書で使用する場合、「前処理」又は「前処理する」とは、布地を洗浄する前に、液体組成物を汚れた布地に適用してから放置して、布地に作用させることを意味する。組成物は、組成物が乾燥するまで、若しくはそれよりも長い時間、又は１分〜２４時間、１分〜１時間、若しくは５分〜３０分間、布地と接触したままにしてよい。任意で、別の方法で除去が困難な、皮膜化した染み／汚れで布地が汚された場合は、例えば、スポンジ若しくはブラシを用いて、又は単に２つの布地を互いに擦り合わせることで、本発明の組成物を多少強くラビング及び／又はブラッシングしてもよい。
【００１３】
本明細書で使用する場合、「処理」又は「処理する」とは、液体組成物が非希釈形態で、又は例えば洗浄溶液などの溶液中に希釈した形態で、汚れた布地上に適用する、又は接触させることを意味する。
【００１４】
本明細書で使用する場合、「洗浄剤」とは、洗濯汚れの除去などの洗浄効果を直接もたらす物質又は化合物として理解される。本明細書で使用する場合、「直接」とは、別の物質の洗浄効果を増強することとは反対に、洗浄剤自体が、例えば洗濯汚れを除去するように作用することと理解される。
【００１５】
本明細書で使用する場合、「洗浄」とは、洗濯機、若しくは手を用いて、布地を水ですすぎ洗いすること、又は布地を洗剤組成物、例えば少なくとも１つの界面活性剤を含有する従来の洗剤組成物を用いて洗うことと理解される。
【００１６】
本発明の範囲内に、多数の共鳴構造及び互変異性体が存在する可能性がある、及び実際に存在することが理解される。したがって、例えば、ピリジン−Ｎ−オキシドは、以下に図示する共鳴形態（Ｉ）、（ＩＩ）、及び（ＩＩＩ）として表すことができる。また、例えば下記の構造（Ｖ）で示す通り、２−ピリジノール−Ｎ−オキシド（ＩＶ）の互変異性体は１−ヒドロキシ−２（１Ｈ）−ピリジノンである。当該技術分野において、共鳴構造は、以下に図示する（ＩＩＩ）などの単一構造で表されることが多い。本開示が特定の構造に言及するときには、妥当な共鳴構造及び互変異性体の全てが包含されることを理解すべきである。
【００１７】
【化１】
2014527108.tif 000002
【００１８】
Ｂ．洗剤組成物
本開示は、漂白剤を実質的に含有せず、キレート剤を含有し、特に漂白可能な染みに対して親水性洗浄効果をもたらす洗剤組成物に関する。より具体的には、本開示は、漂白剤を実質的に含有せず、キレート剤として、置換又は非置換の２−ピリジノール−Ｎ−オキシド化合物、その互変異性体、若しくはその塩を含有するする洗剤組成物に関し、ここで洗剤組成物は、例えば第２鉄などの、洗剤組成物中に不純物として一般的に存在する特定の遷移金属の存在下で、望ましからぬ有色のキレート剤／金属錯体を形成することなく、特に漂白可能な汚れに対する親水性の洗浄効果を提供する。
【００１９】
第２鉄
本開示の洗剤組成物は、鉄（ＩＩＩ）又はＦｅ３＋としても知られる第２鉄を含有してもよい。第２鉄はイオン結合によって他のイオンと結合し、配位子と共に配位されて配位子：鉄配位錯体を形成することができ、又は溶液中で自由に解離することができる。
【００２０】
可溶性の第２鉄は、市販の洗剤の多くの中に見出すことができる。例えば、重質液体（ＨＤＬ）洗剤の「市販の」サンプル群の鉄濃度が測定されている。市販のＨＤＬ洗剤は、０．６〜０．７±０．２百万分率（ｐｐｍ）の平均総鉄濃度を示した。これらの鉄濃度は、特定のキレート剤、例えばタイロンをＨＤＬ洗剤に添加することで、有色の鉄：キレート剤錯体の形成を促進するのに十分である。こうした有色錯体は、望ましからぬ色を生じる洗剤組成物をもたらす場合がある。結果として生ずるこの色は、消費者の好む製品の色を得るためにこれらの洗剤に使用される現行の染料系の妨げとなる場合がある。
【００２１】
本発明の特定の態様では、鉄は、不純物又は汚染物質として、意図的に又は意図せずに組成物中に提供される場合がある。例えば、鉄は、洗剤配合物中における界面活性剤、キレート剤、クエン酸、又は水酸化ナトリウムの合成又は輸送から生じる汚染物質として存在する場合がある。
【００２２】
ある態様では、洗剤組成物は、第２鉄を少なくとも約５百万分率（ｐｐｍ）、あるいは少なくとも約１ｐｐｍ、あるいは少なくとも約０．６ｐｐｍ、あるいは少なくとも約０．４ｐｐｍ、あるいは少なくとも約０．２ｐｐｍ、又はあるいは少なくとも約０．１ｐｐｍ、の濃度で含有する。他の態様では、洗剤組成物中における、置換又は非置換の２−ピリジノール−Ｎ−オキシド化合物、その互変異性体、若しくはその塩の、第２鉄に対するモル比は、約３：１超、又は約１０：１超、又は約２０：１超である。
【００２３】
２−ピリジノール−Ｎ−オキシド
本発明の洗剤組成物は、キレート剤として置換又は非置換の２−ピリジノール−Ｎ−オキシド化合物、若しくはその塩を含有してよい。この化合物の互変異性体、例えば１−ヒドロキシ−２（１Ｈ）−ピリジノンは、キレート剤として本発明の範囲内に含まれる。置換又は非置換の２−ピリジノール−Ｎ−オキシド化合物、及びそれに対応する互変異性形態、１−ヒドロキシ−２（１Ｈ）−ピリジノンを以下に示す。
【００２４】
【化２】
2014527108.tif 000003
式中の各Ｒ１基は、独立してＨ、Ｃｌ、Ｂｒ、Ｉ、Ｆ、ＮＯ、ＮＯ２、及び（ＣＨ２）ｎＧからなる群から選択され、各Ｇは、独立して（Ｏ）ｍＳＯ３Ｍ、（Ｏ）ｍＣＯ２Ｍ、（Ｏ）ｍＣ（Ｏ）（Ｒ２）、（Ｏ）ｍＣ（Ｏ）Ｎ（Ｒ２）２、（Ｏ）ｍＣＮ、（Ｏ）ｍ（Ｒ２）、及びＮ（Ｒ２）２からなる群から選択され、各ｍは０又は１であり、各ｎは０〜４の整数であり、各Ｒ２は、独立してＨ及び置換又は非置換のＣ１〜Ｃ１２有機基からなる群から選択され、各Ｍは独立して、Ｒ２（Ｒ２は上記に定義した通りである）、Ｎ＋（Ｒ２）４、及び１／ｑ  Ｍ’ｑ＋からなる群から選択され、ここでＭ’は、電荷ｑのアルカリ金属及び電荷ｑのアルカリ土類金属からなる群から選択され、隣接する任意の２つのＲ１基は共に、Ｃｌ、Ｂｒ、Ｉ、Ｆ、ＮＯ、ＮＯ２、ＣＮ、（ＣＨ２）ｎＧ、及びこれらの混合物からなる群から選択される１つ以上の基と任意で置換される別の５員又は６員の芳香族環又は脂肪族環を形成し得る。好適な有機基としては、（Ｃ１〜Ｃ１２）アルキル、（Ｃ２〜Ｃ１２）アルケニル、及び（Ｃ２〜Ｃ１２）アルキニルが挙げられる。有機基は任意で置換されてよく、好適な置換基としては、ヒドロキシル基、カルボキシル基、及びアミノ基が挙げられる。２−ピリジノール−Ｎ−オキシドも、例えば、２−ヒドロキシピリジン−Ｎ−オキシド、２−ピリジノール−１−オキシド、又は２−ヒドロキシピリジン−１−オキシドとして周知される。
【００２５】
ある態様では、洗剤組成物は上記の（１つ又は複数の）式の２−ピリジノール−Ｎ−オキシド化合物、又はその互変異性体を含有し、式中の各Ｒ１は独立してＨ、Ｃｌ、及び（ＣＨ２）ｎＧからなる群から選択され、各Ｇは、独立して（Ｏ）ｍＳＯ３Ｍ、（Ｏ）ｍＣＯ２Ｍ、（Ｏ）ｍＣ（Ｏ）（Ｒ２）、（Ｏ）ｍＣＮ、及び（Ｏ）ｍ（Ｒ２）からなる群から選択され、各ｍは０又は１である。他の態様では、洗剤組成物は上記式の２−ピリジノール−Ｎ−オキシド化合物を含有し、式中の各Ｒ１は独立して、Ｈ、ＳＯ３Ｍ、及びＣＯ２Ｍからなる群から選択される。更に他の態様では、各Ｒ１は独立してＨ、ＳＯ３Ｍ、及びＣＯ２Ｍからなる群から選択され、式中のＲ１の１つのみがＳＯ３Ｍ又はＣＯ２Ｍである。
【００２６】
ある態様では、洗剤組成物は、置換又は非置換の２−ピリジノール−Ｎ−オキシド化合物の塩を含有する。これらの態様では、２−ピリジノール−Ｎ−オキシド化合物のヒドロキシル基の水素は、好適な電荷平衡カチオンで置換されてよい。これらの態様における、水素を置換するカチオンの非限定的な例には、Ｎａ＋、Ｌｉ＋、Ｋ＋、１／２Ｍｇ２＋、若しくは１／２Ｃａ２＋、Ｃ１〜Ｃ６アルカノールアンモニウム（alkanolammnonium）などの置換アンモニウム、モノエタノールアミン（ＭＥＡ）、トリエタノールアミン（ＴＥＡ）、ジエタノールアミン、又はこれらの任意の混合物が挙げられる。いくつかの態様では、カチオンは、２−ピリジノール−Ｎ−オキシドアニオン、又は１−ヒドロキシ−２（１Ｈ）−ピリジノンアニオンから解離離してよい。
【００２７】
いくつかの態様では、２−ピリジノール−Ｎ−オキシド化合物は、６−ヒドロキシ−３−ピリジンスルホン酸，１−オキシド（ＣＡＳ  １９１６７２−１８−１）、２−ヒドロキシピリジン−１−オキシド（ＣＡＳ  １３１６１−３０−３）、２−ヒドロキシ−４−ピリジンカルボン酸，１−オキシド（ＣＡＳ  １３６０２−６４−７）、５−エトキシ−２−ピリジノール，２−アセテート，１−オキシド（ＣＡＳ  ５１９８４−４９−７）、１−（３−ヒドロキシ−２−オキシド−４−イソキノリニル）−エタノン（ＣＡＳ  ６５４１７−６５−４）、６−ヒドロキシ−３−ピリジンカルボン酸，１−オキシド（ＣＡＳ  ９００３７−８９−１）、２−メトキシ−４−キノリンカルボニトリル，１−オキシド（ＣＡＳ  ３７９７２２−７６−６）、２−ピリジンカルボン酸，６−ヒドロキシ−，１−オキシド（ＣＡＳ  １０９４１９４−４５−２）、３−ピリジンカルボン酸，２−ヒドロキシ−，１−オキシド（ＣＡＳ  ４０８５３８−４３−２）、２−ピリジノール，３−ニトロ−，１−オキシド（ＣＡＳ  ２８２１０２−０８−３）、３−ピリジンプロパンニトリル，２−ヒドロキシ，１−オキシド（１９３６０５−６０−６）、３−ピリジンエタノール，２−ヒドロキシ，３−アセテート，１−オキシド（ＣＡＳ  １９３６０５−５６−０）、２−ピリジノール，４−ブロモ−，１−オキシド（ＣＡＳ  １７０８７５−４１−９）、２−ピリジノール，４，６−ジブロモ−，２−アセテート，１−オキシド（ＣＡＳ  １７０８７５−４０−８）、２−ピリジノール，４，６−ジブロモ−，１−オキシド（ＣＡＳ  １７０８７５−３８−４）、２−ピリジノール，４−（２−アミノエチル）−，１−オキシド（ＣＡＳ  １５４４０３−９３−７）、２−ピリジノール，５−（２−アミノエチル）−，１−オキシド（ＣＡＳ  １５４４０３−９２−６）、３−ピリジンプロパン酸，α−アミノ−６−ヒドロキシ，１−オキシド（ＣＡＳ  １３４４１９−６１−７）、２−ピリジノール，３，５−ジメチル，１−オキシド（ＣＡＳ  １０２０７４−６２−４）、２−ピリジノール，３−メチル，１−オキシド（ＣＡＳ  ９９９６９−０７−０）、２−ピリジノール，３，５−ジニトロ，１−オキシド（ＣＡＳ  ９８１３６−４７−１）、２−ピリジノール，３，５−ジブロモ，１−オキシド（ＣＡＳ  ９８１３６−２９−９）、２−ピリジノール，４−メチル−６−（２−メチルプロピル）−，１−オキシド（ＣＡＳ  ９１４０８−７７−４）、２−ピリジノール，３−ブロモ−４，６−ジメチル−，１−オキシド（ＣＡＳ  ９１４０８−７６−３）、２−ピリジノール，４，５，６−トリメチル−，１−オキシド（ＣＡＳ  ９１４０８−７５−２）、２−ピリジノール，６−ヘプチル−４−メチル−，１−オキシド（ＣＡＳ  ９１４０８−７３−０）、２−ピリジノール，６−（シクロヘキシルメチル）−４−メチル−，１−オキシド（ＣＡＳ  ９１４０８−７２−９）、２−ピリジノール，６−ブロモ−，１−オキシド（ＣＡＳ  ８９２８４−００−４）、２−ピリジノール，５−ブロモ−，１−オキシド（ＣＡＳ  ８９２８３−９９−８）、２−ピリジノールｌ，３，５−ジクロロ−４，６−ジフルオロ−，１−オキシド（ＣＡＳ  ３３６９３−３７−７）、２−ピリジノール，３，４，５，６−テトラクロロ−，１−オキシド（ＣＡＳ  ３２８３５−６３−５）、２−ピリジノール，６−メチル，１−オキシド（ＣＡＳ  １４４２０−６２−３）、２−ピリジノール，５−ニトロ−，１−オキシド（ＣＡＳ  １４３９６−０３−３）、２−ピリジノール，４−メチル−５−ニトロ−，１−オキシド（ＣＡＳ  １３６０２−７７−２）、２−ピリジノール，４−クロロ−５−ニトロ−，１−オキシド（ＣＡＳ  １３６０２−７３−８）、２−ピリジノール，４−クロロ−，１−オキシド（ＣＡＳ  １３６０２−６５−８）、２−ピリジノール，４−ニトロ−，１−オキシド（ＣＡＳ  １３６０２−６３−６）、及び２−ピリジノール，４−メチル，１−オキシド（ＣＡＳ  １９５２−６４−３）、並びにこれらの混合物からなる群から選択される。これらの化合物は、例えばＳｉｇｍａ−Ａｌｄｒｉｃｈ（Ｓｔ．Ｌｏｕｉｓ，ＭＯ）及び／又はＡｃｅｓ  Ｐｈａｒｍａ（Ｂｒａｎｆｏｒｄ，ＣＴ）から市販されている。
【００２８】
ある態様では、洗剤組成物は、２−ヒドロキシピリジン−１−オキシド、３−ピリジンカルボン酸，２−ヒドロキシ−，１−オキシド、６−ヒドロキシ−３−ピリジンカルボン酸，１−オキシド、２−ヒドロキシ−４−ピリジンカルボン酸，１−オキシド、２−ピリジンカルボン酸，６−ヒドロキシ−，１−オキシド、６−ヒドロキシ−３−ピリジンスルホン酸，１−オキシド、及びこれらの混合物からなる群から選択される２−ピリジノール−Ｎ−オキシド化合物を含有する。
【００２９】
ある態様では、洗剤組成物は、１−ヒドロキシ−２（１Ｈ）−ピリジノン（ＣＡＳ  ８２２−８９−９）、１，６−ジヒドロ−１−ヒドロキシ−６−オキソ−３−ピリジンカルボン酸（ＣＡＳ  ６７７７６３−１８−７）、１，２−ジヒドロ−１−ヒドロキシ−２−オキソ−４−ピリジンカルボン酸（ＣＡＳ  １１９７３６−２２−０）、１，６−ジヒドロ−１−ヒドロキシ−６−オキソ−２−ピリジンカルボン酸（ＣＡＳ  ９４７８１−８９−２）、１−ヒドロキシ−４−メチル−６−（２，４，４−トリメチルペンチル）−２（１Ｈ）−ピリジノン（ＣＡＳ  ５０６５０−７６−５）、６−（シクロヘキシルメチル）−１−ヒドロキシ−４−メチル−２（１Ｈ）−ピリジノン（ＣＡＳ  ２９３４２−１０−７）、１−ヒドロキシ−４，６−ジメチル−２（１Ｈ）−ピリジノン（ＣＡＳ  ２９３４２−０２−７）、１−ヒドロキシ−４−メチル−６−（２，４，４−トリメチルペンチル）−２−ピリドンモノエタノールアミン（ＣＡＳ  ６８８９０−６６−４）、１−ヒドロキシ−６−（オクチロキシ）−２（１Ｈ）−ピリジノン（ＣＡＳ  １６２９１２−６４−３）、１−ヒドロキシ−４−メチル−６−シクロヘキシル−２−ピリジノンエタノールアミン塩（ＣＡＳ  ４１６２１−４９−２）、１−ヒドロキシ−４−メチル−６−シクロヘキシル−２−ピリジノン（ＣＡＳ  ２９３４２−０５−０）、６−エトキシ−１，２−ジヒドロ−１−ヒドロキシ−２−オキソ−４−ピリジンカルボン酸，メチルエステル（ＣＡＳ  ３６９７９−７８−９）、１−ヒドロキシ−５−ニトロ−２（１Ｈ）−ピリジノン（ＣＡＳ  ４５９３９−７０−６）、及びこれらの混合物からなる群から選択される１−ヒドロキシ−２（１Ｈ）−ピリジノン化合物を含有する。これらの化合物は、例えばＳｉｇｍａ−Ａｌｄｒｉｃｈ（Ｓｔ．Ｌｏｕｉｓ，ＭＯ）、Ｐｒｉｎｃｅｔｏｎ  Ｂｕｉｌｄｉｎｇ  Ｂｌｏｃｋｓ（Ｍｏｎｍｏｕｔｈ  Ｊｕｎｃｔｉｏｎ，ＮＪ）、３Ｂ  Ｓｃｉｅｎｔｉｆｉｃ  Ｃｏｒｐｏｒａｔｉｏｎ（Ｌｉｂｅｒｔｙｖｉｌｌｅ，ＩＬ）、ＳｙｎＦｉｎｅ  Ｒｅｓｅａｒｃｈ（Ｒｉｃｈｍｏｎｄ  Ｈｉｌｌ，ＯＮ）、Ｒｙａｎ  Ｓｃｉｅｎｔｉｆｉｃ，Ｉｎｃ．（Ｍｔ．Ｐｌｅａｓａｎｔ，ＳＣ）、及び／又はＡｃｅｓ  Ｐｈａｒｍａ（Ｂｒａｎｆｏｒｄ，ＣＴ）から市販されている。
【００３０】
ある態様では、洗剤組成物は、分子量が約１１１〜約１０００ダルトン、又はあるいは、分子量が約１１１〜約６００ダルトンの置換又は非置換の２−ピリジノール−Ｎ−オキシド化合物、その互変異性体、若しくはその塩を含有する。ある態様では、ピリジノール−Ｎ−オキシド化合物、その互変異性体、又はその塩の分子量は、約４００ダルトン未満である。
【００３１】
ある態様では、置換又は非置換の２−ピリジノール−Ｎ−オキシド化合物、その互変異性体、若しくはその塩は、布地上の親水性染みの処理に用いることができる。他の態様では、置換又は非置換の２−ピリジノール−Ｎ−オキシド化合物、その互変異性体、若しくはその塩は、布地上の漂白可能な染みの処理に用いることができる。
【００３２】
上記の化合物の互変異性体、又は前記互変異性体の塩は、本発明の範囲に含まれる。
【００３３】
ある態様では、洗剤組成物は、約０．０１重量％〜約５重量％の置換又は非置換の２−ピリジノール−Ｎ−オキシド化合物、その互変異性体、若しくはその塩を、又は約０．０５重量％〜約２重量％の置換又は非置換の２−ピリジノール−Ｎ−オキシド化合物、その互変異性体、若しくはその塩を、又は約０．１０重量％〜約１重量％の置換又は非置換の２−ピリジノール−Ｎ−オキシド化合物、その互変異性体、若しくはその塩を含有する。いくつかの態様では、組成物は、約０．１５重量％〜約０．５重量％の、置換又は非置換の２−ピリジノール−Ｎ−オキシド化合物、その互変異性体、若しくはその塩を含有する。
【００３４】
漂白剤
本明細書に開示される洗剤組成物は更に、漂白剤を実質的に含有しないことが可能である。ある種の態様では、洗剤組成物は、意図的に添加された漂白剤を全く有しない。他の態様では、洗剤組成物は、意図的に添加された機能的な量の漂白剤を有しない。更に他の態様では、洗剤組成物は、０重量％を含む、約０重量％〜約０．０１重量％の漂白剤を含有してよい。
【００３５】
ある種の態様では、用語「漂白剤」は、過酸素漂白剤を含み得る。過酸素漂白剤としては、過酸化水素、過酸化物供給源、又はこれらの混合物が挙げられ得る。本明細書で使用する場合、過酸化物供給源とは、溶液中で過酸化物イオンを生成する及び／又は発生させる化合物又は系を意味する。過酸化物供給源としては、過炭酸塩類、過ケイ酸塩、モノ過硫酸塩などの過硫酸塩、過ホウ酸塩類（モノ水和物又はテトラ水和物を含む、任意のその水和物を含む）、ジペルオキシジドデカン二酸（ＤＰＤＡ）といった過酸類、ペルフタル酸マグネシウム、過酸化ジアルキル類、過酸化ジアシル類、予備形成した過カルボン酸類、有機及び無機の過酸化物類、及び／若しくはヒドロ過酸化物類、又はこれらの混合物が挙げられる。更に、過酸化水素源は、本明細書に組み入れられるＫｉｒｋ  Ｏｔｈｍｅｒ’ｓ  Ｅｎｃｙｃｌｏｐｅｄｉａ  ｏｆ  Ｃｈｅｍｉｃａｌ  Ｔｅｃｈｎｏｌｏｇｙ，４ｔｈ  Ｅｄ（１９９２，Ｊｏｈｎ  Ｗｉｌｅｙ  ＆  Ｓｏｎｓ），Ｖｏｌ．４，ｐｐ．２７１〜３００「Ｂｌｅａｃｈｉｎｇ  Ａｇｅｎｔｓ（Ｓｕｒｖｅｙ）」に詳細に記載されており、また、様々な被覆された形態及び修飾された形態を含む過ホウ酸ナトリウム及び過炭酸ナトリウムの様々な形態を含む。
【００３６】
他の態様において、「漂白剤」は、次亜ハロゲン酸塩漂白剤及びその供給源を含み得る。次亜ハロゲン酸塩漂白剤及びその供給源の非限定的な例としては、アルカリ及びアルカリ土類金属類の次亜塩素酸塩などの次亜塩素酸単塩類、又は有機Ｎ−クロロ化合物類などの、加水分解して次亜塩素酸塩を生成する化合物が挙げられる。その他の次亜ハロゲン酸塩としては、臭化物塩からインサイチュ（in situ）で便利に提供される次亜臭素酸塩、及び次亜塩素酸塩などの好適な強酸化剤を挙げることができる。
【００３７】
界面活性剤
本開示のある態様によれば、本開示の洗剤組成物は、アニオン性界面活性剤、非イオン性界面活性剤、カチオン性界面活性剤、双極性界面活性剤、両性界面活性剤、及びこれらの混合物からなる群から選択される界面活性剤を更に含有することができる。こうした組成物は、所望の水準にある１つ以上の洗浄特性を提供するのに十分な量の界面活性剤を、典型的には全組成物の約５重量％〜約９０重量％、全組成物の約５重量％〜約７０重量％、又は全組成物の約５重量％〜約４０重量％含んでよい。典型的には、洗剤は洗浄溶液中で、その洗浄溶液の約０．０００１重量％〜約０．０５重量％、又は更には約０．００１重量％〜約０．０１重量％の濃度で使用される。
【００３８】
液体洗剤組成物は、水性の、非界面活性液体キャリアを含んでいてもよい。一般的に、本明細書の組成物中に使用される水性非界面活性液体キャリアの量は、組成物成分を可溶化し、懸濁し、又は分散するのに有効である。例えば、組成物は、約５重量％〜約９０重量％、約１０重量％〜約７０重量％、又は約２０重量％〜約７０重量％の水性非界面活性液体キャリアを含んでよい。
【００３９】
最もコスト効率のよい種類の水性非界面活性液体キャリアは水であり得る。したがって、水性非界面活性液体キャリア成分は、全てでないとしても、大部分が水であってもよい。その他の水混和性の液体、例えば、アルカノール類、ジオール類、その他のポリオール類、エーテル類、アミン類等は、慣習的に共溶剤又は安定剤として液体洗剤組成物に添加されているが、そのような水混和性液体の使用は組成物コストを低くするために最小限に抑えてよい。したがって、本明細書における液体洗剤製品の水性液体キャリア成分は、一般に、組成物の約５重量％〜約９０重量％の、又は約２０重量％〜約７０重量％の範囲の濃度で存在する水を含む。
【００４０】
本明細書における液体洗剤組成物は、界面活性剤、二重特性ポリマー、及び特定の任意補助成分の水溶液、又は均一分散液若しくは懸濁液の形態をとってよく、それらの成分のいくつかは通常、液体アルコールエトキシレート非イオン性物質、水性液体キャリア、及びいずれかの他の通常液体の任意成分のような通常液体の組成物成分と組み合わされた固形の形態であってもよい。そのような溶液、分散液、又は懸濁液は許容できる程度に相安定であり、典型的には約１００〜６００ｃｐｓの、又は約１５０〜４００ｃｐｓの範囲の粘度を有する。本開示の目的のため、粘度は＃２１スピンドルを使用したブルックフィールド（Brookfield）ＬＶＤＶ−ＩＩ＋の粘度計で測定する。
【００４１】
好適な界面活性剤はアニオン性、非イオン性、カチオン性、双極性、及び／又は両性界面活性剤であってよい。好適なアニオン性界面活性剤の具体的かつ非限定的な例としては、洗剤製品において典型的に使用される、任意の従来型のアニオン性界面活性剤が挙げられる。これらには、アルキルベンゼンスルホン酸及びこれらの塩、並びにアルコキシル化又は非アルコキシル化アルキルサルフェート物質が挙げられる。
【００４２】
代表的なアニオン性界面活性剤は、Ｃ１０〜Ｃ１６のアルキルベンゼンスルホン酸、又はＣ１１〜Ｃ１４のアルキルベンゼンスルホン酸のアルカリ金属塩である。一態様では、アルキル基は直鎖であり、そのような直鎖アルキルベンゼンスルホネートは「ＬＡＳ」として知られている。アルキルベンゼンスルホネート、特にＬＡＳは、当該技術分野において周知である。このような界面活性剤及びこれらの調製は、例えば、米国特許第２，２２０，０９９号及び同第２，４７７，３８３号に記載されている。特に有用なものは、アルキル基の炭素原子の平均数が約１１〜１４である、線状の直鎖アルキルベンゼンスルホン酸ナトリウム及びカリウムである。ナトリウムＣ１１〜Ｃ１４、例えば、Ｃ１２、ＬＡＳはそのような界面活性剤の具体的な例である。
【００４３】
他の代表的な種類のアニオン性界面活性剤にはエトキシル化アルキル硫酸塩界面活性剤が含まれる。このような物質は、アルキルエーテルサルフェート（alkyl etromher sulfates）又はアルキルポリエトキシレートサルフェートとしても公知であり、式Ｒ’−−Ｏ−−（Ｃ２Ｈ４Ｏ）ｎ−−ＳＯ３Ｍ（式中、Ｒ’はＣ８〜Ｃ２０アルキル基であり、ｎは約０．５〜２０であり、又は１〜２０であり、Ｍは塩を生成するカチオンである）に相当する。一態様では、Ｒ’はＣ１０〜Ｃ１８アルキルであり、ｎは約１〜１５であり、Ｍはナトリウム、カリウム、アンモニウム、アルキルアンモニウム、又はアルカノールアンモニウムである。一態様では、Ｒ’はＣ１２〜Ｃ１６であり、ｎは約０．５〜６、又は１〜６であり、Ｍはナトリウムである。
【００４４】
アルキルエーテルサルフェートは一般に、様々なＲ’鎖長及び様々なエトキシル化度を含む混合物の形態で使用される。しばしばそのような混合物はまた、必然的にいくつかの非エトキシル化アルキルサルフェート類、即ち、上記エトキシル化アルキルサルフェート式で、式中、ｎ＝０である界面活性剤も含有することになる。非エトキシル化アルキルサルフェートも本発明の組成物に別途加えられ、存在してもよい任意のアニオン性界面活性剤成分として又は成分中で使用されてもよい。非アルコキシル化、例えば非エトキシル化、アルキルエーテルサルフェート界面活性剤の具体例は、Ｃ８〜Ｃ２０の高級脂肪族アルコールの硫酸化により製造されるものである。従来の第１級アルキルサルフェート界面活性剤は、一般式：ＲＯＳＯ３−Ｍ＋を有し、式中、Ｒは典型的には、直鎖又は分岐鎖であってよい線状Ｃ８〜Ｃ２０ヒドロカルビル基であり、Ｍは水溶性化カチオンである。一態様では、ＲはＣ１０〜Ｃ１５アルキルであり、Ｍはアルカリ金属であり、より具体的には、ＲはＣ１２〜Ｃ１４であり、Ｍはナトリウムである。
【００４５】
本明細書で有用なアニオン性界面活性剤類の具体的な非限定例としては：ａ）アルキル（alkly）基のバイオベース含有量が少なくとも５％のアルキルベンゼンスルホネート（Ｂｉｏ−ＬＡＳ及び／又はＢｉｏ−ＭＬＡＳ）を含む、Ｃ１０〜Ｃ１８アルキルベンゼンスルホネート（ＬＡＳ）；ｂ）主にＣ１２のアルキルサルフェートを含む、Ｃ１０〜Ｃ２０第１級分岐鎖及びランダムアルキルサルフェート類（ＡＳ）；ｃ）式（Ｉ）及び（ＩＩ）を有するＣ１０〜Ｃ１８の第２級（２，３）アルキルサルフェート類であり、ここで式（Ｉ）及び（ＩＩ）のＭが水素又は電気的中性を付与するカチオンであり、全てのＭ単位が、界面活性剤又は補助成分のいずれと関連しようと、当業者により単離された形態又は化合物が使用される系の相対的なｐＨに応じて水素原子又はカチオンのいずれかであることが可能であり、好適なカチオンの比限定的な例にはナトリウム、カリウム、アンモニウム、及びこれらの混合物が挙げられ、ｘは少なくとも約７、又は少なくとも約９の整数であり、ｙは少なくとも８、又は少なくとも約９の整数である；ｄ）式中のｘが１〜３０である、Ｃ１０〜Ｃ１８アルキルアルコキシサルフェート（ＡＥｘＳ）；ｅ）一態様では１〜５個のエトキシ単位を含む、Ｃ１０〜Ｃ１８アルキルアルコキシカルボキシレート；ｆ）米国特許第６，０２０，３０３号及び同第６，０６０，４４３号で論じられているような中鎖分岐状アルキルサルフェート；ｇ）米国特許第６，００８，１８１号及び同第６，０２０，３０３号で論じられているような中鎖分岐状アルキルアルコキシサルフェート；ｈ）ＰＣＴ公報ＷＯ  ９９／０５２４３号、同ＷＯ  ９９／０５２４２号、同ＷＯ  ９９／０５２４４号、同ＷＯ  ９９／０５０８２号、同ＷＯ  ９９／０５０８４号、同ＷＯ  ９９／０５２４１号、同ＷＯ  ９９／０７６５６号、同ＷＯ  ００／２３５４９号、及び同ＷＯ  ００／２３５４８号で論じられているような修飾アルキルベンゼンスルホネート（ＭＬＡＳ）；ｉ）メチルエステルスルホネート（ＭＥＳ）；並びにｊ）α−オレフィンスルホネート（ＡＯＳ）が挙げられる。
【００４６】
別の好適なアニオン性界面活性剤の部類には、米国特許第２０１０／０１３７６４９号に記載のイソプレノイド系多分岐洗剤用アルコールの界面活性剤誘導体が含まれる。これらに好適な原材料には、Ａｍｙｒｉｓ（Ｅｍｅｒｙｖｉｌｌｅ，Ｃａｌｉｆｏｒｎｉａ）が提供するＢｉｏＦｅｎｅ（商標）などのβ−ファルネセンが挙げられる。
【００４７】
別の好適なアニオン性界面活性剤は、イソプレノイド誘導アルコール類、アンテイソアルコール類、及びイソアルコール類由来の分岐界面活性剤である。これには少なくとも２つの式Ｉの化合物からなる混合物が含まれ、
【００４８】
【化３】
2014527108.tif 000004
この混合物中、Ｒ１は水素、メチル、又はエチルであり、
Ｒ２は、０、１つ、２つ、又は３つの（Ｃ１〜Ｃ３）アルキル分岐鎖を有する（Ｃ１〜Ｃｎ）アルキル又は（Ｃ１〜Ｃｎ）アルケニルであり、
ｍは５〜３７であり、かつｎは１〜３３であり、かつｍ＋ｎは６〜３８であり、好ましくはｍは７〜２７であり、かつｎは１〜２３であり、かつｍ＋ｎは８〜２８であり、
Ｙは０であるか、又はＷｐであり、
Ｗは、エチレンオキシ、プロピレンオキシ（propylenoxy）、ブチレンオキシ、及びこれらの混合物からなる群から選択され、
ｐは１〜３０であり、及び
Ｚは、例えば、ヒドロキシ、カルボキシレート、スルフェート、ジスルフェート、スルホネート、ジスルホネート、グリセロールエステルスルホネート、アミン、モノアルキルアミン、ジアルキルアミン、アミンオキシド、ポリヒドロキシ部分、リン酸エステル、グリセロールスルホネート、ポリグルコネート、ポリホスフェートエステル、ホスホネート、スルホスクシネート、スルホサッカミネート（sulfosuccaminate）、グルカミド、タウリネート、サルコシネート、グリシネート、イセチオネート、ジアルカノールアミド、モノアルカノールアミド、モノアルカノールアミドスルフェート、ジグリコールアミド、ジグリコールアミドスルフェート、グリセロールエステル、グリセロールエステルスルフェート、グリセロールエーテル、グリセロールエーテルスルフェート、ポリグリセロールエーテル、ポリグリセロールエーテルスルフェート、ソルビタンエステル、アルキルポリグリコシド（ＡＰＧ）、アルキルポリキシロシド、尿素、アンモニオアルカンスルホネート、アミドプロピルベタイン、アリル化第４級アンモニウム化合物（quat）、アルキル化／ポリヒドロキシアルキル化第４級アンモニウム化合物、アルキル化第４級アンモニウム化合物、アルキル化／ポリヒドロキシル化オキシプロピル第４級アンモニウム化合物、グリセロールエステル第４級アンモニウム化合物、グリコールアミン第４級アンモニウム化合物、イミダゾリン、アルケン−２−イル−サクシネート、スルホン化アルキルエステル、及びスルホン化脂肪酸などの親水性部分である。好ましくは、Ｚはヒドロキシ、グリセロールエーテル、ポリグリセロールエーテル、ポリグリコシド、ポリキシロシド、カルボキシレート、スルフェート、スルホネート、グリセロールエーテルスルホネート、アミン、モノアルキルアミン、ジアルキルアミン、アミンオキシド、モノアルカノールアミド、アミドプロピルベタイン、及びアルキル化第４級アンモニウム化合物からなる群から選択される。本明細書の一態様では、前述のＺに関する選択肢にはカルボン酸塩は含まれない。
【００４９】
一態様では、化合物の少なくとも１つに関して、Ｒ１がＨの場合は、Ｒ２は１つ、２つ、又は３つの（Ｃ１〜Ｃ３）アルキル分岐鎖を有し、Ｒ１がメチル又はエチルである場合は、Ｒ２は０、１つ、又は２つの（Ｃ１〜Ｃ３）アルキル分岐鎖を有する。別の実施形態では、混合物中の少なくとも２つの化合物に関して、Ｒ１がＨである場合は、Ｒ２は１つ、２つ、又は３つの（Ｃ１〜Ｃ３）アルキル分岐鎖を有し、Ｒ１がメチル又はエチルである場合、Ｒ２は０、１つ、又は２つの（Ｃ１〜Ｃ３）アルキル分岐鎖を有する。あるいは、又はこれに加え、更に他の態様では、最も長い炭素鎖の非官能化末端から４０％以内の場所にある炭素原子上で分岐が生じる。あるいは、又はこれに加え、更に他の態様では、組成物は第２級ヒドロキシ化合物を実質的に含有しない。
【００５０】
別の好適なアニオン性界面活性剤は、以下の群から選択される少なくとも２つの化合物の混合物を含有する。
【００５１】
【化４】
2014527108.tif 000005
この混合物では、Ａ及びＢはそれぞれ独立して、ＯＨ又はＯ（Ｃ＝Ｏ）Ｒ７であり、
Ｒ１は水素、メチル、又はエチルであり、
Ｒ２は、０、１つ、２つ、又は３つの（Ｃ１〜Ｃ３）アルキル分岐鎖を有する（Ｃ１〜Ｃｎ）アルキル又は（Ｃ１〜Ｃｎ）アルケニルであり、
Ｒ３、Ｒ４、及びＲ５はそれぞれ独立するものであり、
【００５２】
【化５】
2014527108.tif 000006
Ｒ６は水素、メチル、又はエチルであり、
Ｒ７は（Ｃ１〜Ｃ２６）アルキルであり、並びに
ｍは５〜３７であり、かつｎは１〜３３であり、かつｍ＋ｎは６〜３８であり、好ましくはｍは７〜２７であり、かつｎは１〜２３であり、かつｍ＋ｎは８〜２８である。
【００５３】
一態様では、Ｒ１がＨである場合、Ｒ２は１つ、２つ、又は３つの（Ｃ１〜Ｃ３）アルキル分岐鎖を有し、Ｒ１がメチル又はエチルである場合、Ｒ２は０、１つ、又は２つの（Ｃ１〜Ｃ３）アルキル分岐鎖を有する。あるいは、又はこれに加え、更に他の態様では、最も長い炭素鎖の非官能化末端から４０％以内の場所にある炭素原子上で分岐が生じる。あるいは、又はこれに加え、更に他の態様では、組成物は第２級ヒドロキシ化合物を実質的に含有しない。
【００５４】
別の態様では、好適なアニオン性界面活性剤は、上記化合物のうち部分的に飽和されたもの、又は上記化合物のうち完全に飽和されたものを含有し、この場合、上記化合物に水素添加すると、それらの化合物の部分的に飽和されたもの又は完全に飽和されたものが得られる。
【００５５】
好適なアニオン性界面活性剤は、式ＩＶの少なくとも２つの化合物の混合物を含有してよい。
【００５６】
【化６】
2014527108.tif 000007
この混合物では、少なくとも２つの化合物のそれぞれにおいて、Ａは独立してＣＯＯＨ、ＣＯＯ−Ｍ、Ｏ（Ｃ＝Ｏ）Ｒ７又は（Ｃ＝Ｏ）ＯＲ７であり、
Ｒ１は水素、メチル、又はエチルであり、
Ｒ２は（Ｃ１〜Ｃ３）アルキル分岐鎖を０、１つ、２つ、又は３つ有する（Ｃ１〜Ｃｎ）アルキル又は（Ｃ１〜Ｃｎ）アルケニルであり、Ｒ１がＨである場合、Ｒ２は１、２、又は３つの（Ｃ１〜Ｃ３）アルキル分岐鎖を有し、Ｒ１がメチル又はエチルである場合、Ｒ２は０、１つ、又は２つの（Ｃ１〜Ｃ３）アルキル分岐鎖を有し、最も長い炭素鎖の非官能化末端から４０％以内の場所にある炭素原子上で分岐が生じており、
Ｒ７は（Ｃ１〜Ｃ２６）アルキルであり、
ＭはＬｉ＋、Ｎａ＋、Ｋ＋、Ｃａ２＋、Ｍｇ２＋、及び
【００５７】
【化７】
2014527108.tif 000008
であり
Ｒ１１、Ｒ１２、Ｒ１３、及びＲ１４はそれぞれ独立して水素、（Ｃ１〜Ｃ２２）アルキル、（Ｃ１〜Ｃ６）アルカノール、及び（Ｃ１〜Ｃ２２）アルケニルであり、
ｍは５〜３７であり、かつｎは１〜３３であり、かつｍ＋ｎは６〜３８であり、好ましくはｍは７〜２７であり、かつｎは１〜２３であり、かつｍ＋ｎは８〜２８である。
【００５８】
一態様では、Ｒ１がＨである場合、Ｒ２は１つ、２つ、又は３つの（Ｃ１〜Ｃ３）アルキル分岐鎖を有し、Ｒ１がメチル又はエチルである場合、Ｒ２は０、１つ、又は２つの（Ｃ１〜Ｃ３）アルキル分岐鎖を有する。あるいは、又はこれに加え、一態様では、最も長い炭素鎖の非官能化末端から４０％以内の場所にある炭素原子上で分岐が生じる。あるいは、又はこれに加え、更に他の態様では、組成物は第２級ヒドロキシ化合物を実質的に含有しない。
【００５９】
別の態様では、好適なアニオン性界面活性剤は、上記化合物のうち部分的に飽和されたものを含有し、この場合、上記化合物に水素添加することで、それらの化合物の部分的に飽和されたものが得られる。
【００６０】
好適なアニオン性界面活性剤は、式Ｉの少なくとも２つの化合物の混合物も含んでよい。
【００６１】
【化８】
2014527108.tif 000009
式中、各Ｒ１は独立して、Ｈ又はＣＨ３であるが、但し、１、２、又は３つのＲ１が、ＣＨ３であり、
ｍは１又は２であり、
ｎは、３、４、５、６、７、８、又は９であり、
ｐは、１、２、３、４、５、６、７、又は８であり、
Ｙは、ＣＨ２であるか、又は存在しないが、但し、
（ａ）ＹがＣＨ２であるとき、Ｚは、ヒドロキシル、アルコキシル、硫酸塩、二硫酸塩、スルホン酸塩、ジスルホン酸塩、スルホコハク酸塩、アミン、モノアルキルアミン、ジアルキルアミン、アミンオキシド、ポリヒドロキシ部分、リン酸エステル、ポリリン酸エステル、ホスホン酸塩、グリセロールエーテル、グリセロールエーテルスルホネート、ポリグルコン酸塩、モノグリセロールエーテル、ジグリセロール（diglyerol）エーテル、グリセロールエーテルサルフェート、ポリグリセロールエーテル、ポリグリセロールエーテルサルフェート、ポリグルコシド、アンモニオアルカンスルホネート、アルキル化第４級アンモニウム化合物、アルキル化（alkyated）／ヒドロキシアルキル化第４級アンモニウム化合物、アルキル化／ポリヒドロキシアルキル化第４級アンモニウム化合物、アルキル化／ポリヒドロキシル化オキシプロピル第４級アンモニウム化合物、グリコールアミン第４級アンモニウム化合物、ポリオキシアルキレン、アルコキシル化サルフェート、ピリジニウム部分、ベタイン、スルホベタイン、アミノカルボン酸塩、イミノジカルボン酸塩、フェノールエトキシレート、イミダゾリン、Ｏ−アルキルエステル（即ち、Ｏ（Ｃ＝Ｏ）Ｒであり、ここでＲはアルキル基である）、及びアルコキシル化カルボン酸塩からなる群から選択され、
（ｂ）Ｙが存在しないとき、Ｚは、カルボン酸、カルボン酸塩、グリセロールエステルスルホン酸塩、スルホコハク酸塩、グルカミド、タウリネート、サルコシン酸塩、グリシン酸塩、ジアルカノールアミド、モノアルカノールアミド、モノアルカノールアミドサルフェート、ジグリコールアミド、ジグリコールアミドサルフェート、グリセロールエステル、グリセロールエステルサルフェート、アミドプロピルベタイン、糖エステル（即ち、ソルビタンエステル）、グリセロールエステル第４級アンモニウム化合物、イセチオネート、スルホン化脂肪酸、スルホン化アルキルエステル、Ｃ−アルキルエステル（即ち、（Ｃ＝Ｏ）ＯＲであり、ここでＲはアルキル基である）、アミド、及びポリアルコキシル化アミドプロピルベタインからなる群から選択される。
【００６２】
混合物は、９個以下の炭素原子からなる最長直鎖炭素鎖を有する約５重量％以下、好ましくは約３重量％以下、より好ましくは約１重量％以下の化合物を含む。また更に、混合物は、混合物の総重量に基づいて、最長炭素鎖の非官能化末端の４０％以内である炭素原子上に分岐を有する約５０重量％未満の式Ｉの化合物を含む。
【００６３】
いくつかの態様では、式Ｉのうち少なくとも２つの化合物の混合物は、式ＩＩＩのうち少なくとも１つの化合物を更に含有する。
【００６４】
【化９】
2014527108.tif 000010
式中、ｑは、７、８、９、１０、１１、１２、１３、１４、１５、１９、１７、１８、１９、又は２０であり、
ｐは、１、２、３、４、５、６、７、又は８であり、
Ｙは、ＣＨ２であるか、又は存在しないが、但し、
（ａ）ＹがＣＨ２であるとき、Ｚは、ヒドロキシル、アルコキシル、サルフェート、二硫酸塩、スルホネート、ジスルホネート、スルホコハク酸塩、アミン、モノアルキルアミン、ジアルキルアミン、アミンオキシド、ポリヒドロキシ部分、リン酸エステル、ポリリン酸エステル、ホスホネート、グリセロールエーテル、グリセロールエーテルスルホネート、ポリグルコン酸塩、モノグリセロールエーテル、ジグリセロール（diglyerol）エーテル、グリセロールエーテルサルフェート、ポリグリセロールエーテル、ポリグリセロールエーテルサルフェート、ポリグルコシド、アンモニオアルカンスルホネート、アルキル化第４級アンモニウム化合物、アルキル化（Alkyated）／ヒドロキシアルキル化第４級アンモニウム化合物、アルキル化／ポリヒドロキシアルキル化第４級アンモニウム化合物、アルキル化／ポリヒドロキシル化オキシプロピル第４級アンモニウム化合物、グリコールアミン第４級アンモニウム化合物、ポリオキシアルキレン、アルコキシル化サルフェート、ピリジニウム部分、ベタイン、スルホベタイン、アミノカルボン酸塩、イミノジカルボン酸塩、フェノールエトキシレート、イミダゾリン、Ｏ−アルキルエステル、及びアルコキシル化カルボン酸塩からなる群から選択され、かつ
（ｂ）Ｙが存在しないとき、Ｚは、カルボン酸、カルボン酸塩、グリセロールエステルスルホネート、スルホコハク酸塩、グルカミド、タウリネート、サルコシン酸塩、グリシン酸塩、ジアルカノールアミド、モノアルカノールアミド、モノアルカノールアミドサルフェート、ジグリコールアミド、ジグリコールアミドサルフェート、グリセロールエステル、グリセロールエステルサルフェート、アミドプロピルベタイン、糖エステル、グリセロールエステル第４級アンモニウム化合物、イセチオネート、スルホン化脂肪酸、スルホン化アルキルエステル、Ｃ−アルキルエステル、アミド、及びポリアルコキシル化アミドプロピルベタインからなる群から選択される）。
【００６５】
式ＩＩＩのうち少なくとも１つの化合物は、混合物の総重量に基づいて、少なくとも約１重量％、少なくとも約１０重量％、少なくとも約３０重量％、少なくとも約５０重量％、少なくとも約７０重量％、少なくとも約８０重量％、少なくとも約９０重量％、又は少なくとも約９５重量％の量で混合物中に存在する。例えば、式ＩＩＩのうち少なくとも１つの化合物は、混合物の総重量に基づいて、約１重量％〜約９５重量％の量で混合物中に存在し得る。
【００６６】
いくつかの態様では、式Ｉのうち少なくとも２つの化合物の成分
【００６７】
【化１０】
2014527108.tif 000011
は、少なくとも約５０％、少なくとも約６０％、少なくとも約７０％、少なくとも約８０％、少なくとも約９０％、少なくとも約９５％、少なくとも約９７％、又は約１００％のバイオベース含有量を有する。
【００６８】
いくつかの態様では、式Ｉのうち少なくとも１つの化合物は、２、４、６、８、１０、１２、又は１４位からなる群から選択される位置にメチル分岐鎖を含有する。いくつかの態様では、式Ｉの化合物は、１つのメチル分岐鎖を含有する。これらの態様では、１つのメチル分岐鎖は、２、４、６、８、１０、１２、又は１４位からなる群から選択される位置にある。
【００６９】
別の態様では、上述の通り、好適なアニオン性界面活性剤は少なくとも２つの式Ｉの化合物からなる混合物を含有し、ここで混合物は：
（ａ）以下を含有する細胞を培養する工程；
（ｉ）プロピオニル−ＣｏＡからメチルマロニル−ＣｏＡへの変換を触媒するポリペプチドをコードする核酸配列を含有する外因性又は過剰発現ポリヌクレオチド；並びに／又は
（ｉｉ）ポリヌクレオチド（類）を発現させ、また少なくとも２つの式ＩＩの化合物からなる混合物を製造させる条件下にて、スクシニル−ＣｏＡからメチルマロニル−ＣｏＡへの変換を触媒するポリペプチドをコードする核酸配列を含有する外因性又は過剰発現ポリヌクレオチド：
【００７０】
【化１１】
2014527108.tif 000012
ここで細胞は、ポリヌクレオチド（類）を含有しない他の類似する細胞と比較して、より多くの式ＩＩの化合物を製造する：
（ｂ）少なくとも２つの式ＩＩの化合物からなる混合物を培養することにより抽出する工程：並びに
（ｃ）式（ＩＩ）の化合物を誘導体化して少なくとも２つの式Ｉの化合物からなる混合物を形成する工程、により製造される。
【００７１】
更なる好適なアニオン性界面活性剤としては、Ｓａｆｏｌ  ２３、Ｍａｒｌｉｐａｌ  ０１３、Ｉｓａｌｃｈｅｍ  １２３、Ｉｓａｌｃｈｅｍ  １２５、及びＭａｒｌｉｐａｌ  ０３１の商品名で市販されているものなどの、Ｃ６〜Ｃ１５残基を有する分岐脂肪族アルコール類が挙げられる。
【００７２】
本明細書で有用な好適な非イオン性界面活性剤には、液体洗剤製品で典型的に使用される従来の種類のいかなる非イオン性界面活性剤を含めてもよい。これらとしては、例えば、アルコキシル化脂肪族アルコール及びアミンオキシド界面活性剤が挙げられる。本明細書の液体洗剤製品における使用において好ましいものは、通常は液体である非イオン性界面活性剤である。本明細書での使用に適した非イオン性界面活性剤としてはアルコールアルコキシラート非イオン性界面活性剤が挙げられる。アルコールアルコキシレートは、次の一般式に相当する物質である：Ｒ１（ＣｍＨ２ｍＯ）ｐＯＨ；式中、Ｒ１はＣ８〜Ｃ１６アルキル基であり、ｍは２〜４であり、ｐは約２〜１２の範囲で変動する。好ましくは、Ｒ１は、第１級でも第２級でもあってよいアルキル基であり、約９〜約１５個の炭素原子、より好ましくは約１０〜約１４個の炭素原子を含有する。一態様では、アルコキシル化脂肪族アルコールは、分子当り約２〜約１２の酸化エチレン部分、より好ましくは分子当り約３〜約１０の酸化エチレン部分を含有するエトキシル化物質であってもよい。
【００７３】
本明細書の液体洗剤組成物において有用なアルコキシル化脂肪族アルコール物質はしばしば、約３〜１７の範囲の親水親油バランス（ＨＬＢ）値を有する。より好ましくはこの物質のＨＬＢ値は、約６〜１５、最も好ましくは約８〜１５の範囲である。好適なアルコキシル化脂肪族アルコール非イオン性界面活性剤は、シェル・ケミカル社（Shell Chemical Company）により商標名ネオドール（NEODOL）（登録商標）で市販されている。
【００７４】
本明細書において有用な非イオン性界面活性剤の別の適当なタイプは、アミンオキシド界面活性剤を含む。アミンオキシドは、しばしば当該技術分野では「半極性」非イオン性物質と呼ばれる物質である。アミンオキシドは、式：Ｒ２（ＥＯ）ｆ（ＰＯ）ｇ（ＢＯ）ｈＮ（Ｏ）（ＣＨ２Ｒ３）２・ｑＨ２Ｏである。この式中、Ｒ２は、飽和又は不飽和、直鎖又は分岐鎖であり得る比較的長鎖のアルキル部分であり、８〜２０、好ましくは１０〜１６個の炭素原子を含有でき、より好ましくはＣ１２〜Ｃ１６の第１級アルキルである。Ｒ３は短鎖部分で、好ましくは水素、メチル及び−ＣＨ２ＯＨから選択される。ｆ＋ｇ＋ｈが０と異なる場合、ＥＯはエチレンオキシ、ＰＯはプロピレンオキシ、及びＢＯはブチレンオキシである。代表的なアミンオキシド界面活性剤は、Ｃ１２〜Ｃ１４アルキルジメチルアミンオキシドにより示されてもよい。
【００７５】
非イオン性界面活性剤の非限定的な例としては：ａ）Ｃ１２〜Ｃ１８アルキルエトキシレート（例えば、Ｓｈｅｌｌ製のＮＥＯＤＯＬ（登録商標）非イオン性界面活性剤）；ｂ）Ｃ６〜Ｃ１２アルキルフェノールアルコキシレート（ここでアルコキシレート単位は、エチレンオキシ単位とプロピレンオキシ単位の混合物である）；ｃ）Ｃ１２〜Ｃ１８アルコール。及びＣ６〜Ｃ１２アルキルフェノールとエチレンオキシド／プロピレンオキシドブロックポリマーとの縮合体（例えば、ＢＡＳＦ製のＰＬＵＲＯＮＩＣ（登録商標））；ｄ）米国特許第６，１５０，３２２号に述べられているようなＣ１４〜Ｃ２２中鎖分岐アルコール、（「ＢＡ」）；ｅ）米国特許第６，１５３，５７７号、同第６，０２０，３０３号、及び同第６，０９３，８５６号に述べられているようなＣ１４〜Ｃ２２中鎖分岐アルキルアルコキシレート、（「ＢＡＥｚ」）（ここで、ｚは１〜３０である）；ｆ）米国特許第４，５６５，６４７号に述べられているようなアルキル多糖類であって、特に、米国特許第４，４８３，７８０号及び同第４，４８３，７７９号に述べられているようなアルキルポリグリコシド；ｇ）米国特許第５，３３２，５２８号、ＰＣＴ公報第ＷＯ  ９２／０６１６２号、同第ＷＯ  ９３／１９１４６号、同第ＷＯ  ９３／１９０３８号、及び同第ＷＯ  ９４／０９０９９号に述べられているようなポリヒドロキシ脂肪酸アミド；及びｈ）米国特許第６，４８２，９９４号及びＰＣＴ公報第ＷＯ  ０１／４２４０８号に述べられているような、エーテルで末端保護されたポリ（オキシアルキル化）アルコール界面活性剤が挙げられる。
【００７６】
本明細書の洗濯洗剤組成物の特定の態様では、洗浄性界面活性剤成分は、アニオン性及び非イオン性界面活性剤物質の組み合わせを含有してもよい。この場合、アニオン性と非イオン性との重量比は、典型的には１０：９０〜９０：１０、より典型的には３０：７０〜７０：３０の範囲である。
【００７７】
双極性イオン性界面活性剤の非限定例には、第２級及び第３級アミンの誘導体、複素環式第２級及び第３級アミンの誘導体、又は第４級アンモニウム、第４級ホスホニウム若しくは第３級スルホニウム化合物の誘導体が挙げられる。双極性イオン界面活性剤の例である、アルキルジメチルベタイン及びココジメチルアミドプロピルベタイン、Ｃ８〜Ｃ１８（例えば、Ｃ１２〜Ｃ１８）アミンオキシド、並びに、例えば、アルキル基がＣ８〜Ｃ１８、及び特定の態様ではＣ１０〜Ｃ１４であることができるＮ−アルキル−Ｎ，Ｎ−ジメチルアミノ−１−プロパンスルホネートのようなスルホベタイン及びヒドロキシベタインを含むベタインについては、米国特許第３，９２９，６７８号の１９欄３８行〜２２欄４８行を参照されたい。
【００７８】
両性界面活性剤の非限定的な例には、第２級若しくは第３級アミンの脂肪族誘導体、又は脂肪族基が直鎖又は分岐鎖であることができる複素環式第２級及び第３級アミンの脂肪族誘導体が挙げられる。脂肪族置換基のうち１つは少なくとも約８個の炭素原子、例えば約８〜約１８個の炭素原子を含有してもよく、少なくとも１つは水可溶化アニオン性基、例えば、カルボキシ基、スルホネート基、サルフェート基を含有する。両性界面活性剤の好適な例については、米国特許第３，９２９，６７８号、１９欄１８〜３５行を参照のこと。
【００７９】
カチオン性界面活性剤は、当該技術分野において既知であり、これらの非限定例としては第４級アンモニウム界面活性剤が挙げられ、２６までの炭素原子を有することができる。追加の例にはａ）米国特許第６，１３６，７６９号での述べられているようなアルコキシレート第４級アンモニウム（「ＡＱＡ」）界面活性剤、ｂ）米国特許第６，００４，９２２号で述べられているようなジメチルヒドロキシエチル第４級アンモニウム、ｃ）ＰＣＴ公報第ＷＯ  ９８／３５００２号、同第ＷＯ  ９８／３５００３号、同第ＷＯ  ９８／３５００４号、同第ＷＯ  ９８／３５００５号及び同第ＷＯ  ９８／３５００６号で述べられているようなポリアミンカチオン性界面活性剤、ｄ）米国特許第４，２２８，０４２号、同第４，２３９，６６０号、同第４，２６０，５２９号及び同第６，０２２，８４４号で述べられているようなカチオン性エステル界面活性剤並びにｅ）米国特許第６，２２１，８２５号及びＰＣＴ公報第ＷＯ  ００／４７７０８号で述べられているようなアミノ界面活性剤、例えばアミドプロピルジメチルアミン（「ＡＰＡ」）が挙げられる。
【００８０】
界面活性剤系の非限定な例としては、従来のＣ１１〜Ｃ１８アルキルベンゼンスルホン酸塩類（「ＬＡＳ」）、並びに第１級分岐鎖及びランダムＣ１０〜Ｃ２０アルキル硫酸塩類（「ＡＳ」）、式ＣＨ３（ＣＨ２）ｘ（ＣＨＯＳＯ３−Ｍ＋）ＣＨ３及びＣＨ３（ＣＨ２）ｙ（ＣＨＯＳＯ３−Ｍ＋）ＣＨ２ＣＨ３（式中、ｘ及び（ｙ＋１）は少なくとも約７、他では（in other s）少なくとも約９の整数であり、Ｍは水可溶化性カチオン、特にナトリウムである）のＣ１０〜Ｃ１８第２級（２，３）−アルキル硫酸塩類、オレイル硫酸塩などの不飽和硫酸塩類、Ｃ１０〜Ｃ１８アルキルアルコキシ硫酸塩類（「ＡＥｚＳ」、特にＥＯ  １〜７エトキシ硫酸塩類）、Ｃ１０〜Ｃ１８アルキルアルコキシカルボン酸塩類（特にＥＯ  １〜５エトキシカルボン酸塩類）、Ｃ１０〜Ｃ１８グリセロールエーテル類、Ｃ１０〜Ｃ１８アルキルポリグリコシド類、及びこれらに対応する硫酸化ポリグリコシド類、並びにＣ１２〜Ｃ１８  α−スルホン化脂肪酸エステル類が挙げられる。所望される場合、従来の非イオン性及び両性界面活性剤、例えば、いわゆる狭いピークを有するアルキルエトキシレートが挙げられるＣ１２〜Ｃ１８アルキルエトキシレート（「ＡＥ」）、及びＣ６〜Ｃ１２アルキルフェノールアルコキシラート（特にエトキシレート及び混合エトキシ／プロポキシレート）、Ｃ１２〜Ｃ１８ベタイン及びスルホベタイン（「スルタイン」）、Ｃ１０〜Ｃ１８アミンオキシド等もまた界面活性剤系に包含されることができる。Ｃ１０〜Ｃ１８  Ｎ−アルキルポリヒドロキシ脂肪酸アミドもまた使用できる。ＰＣＴ公報第ＷＯ  ９２／０６１５４号を参照のこと。糖から誘導される他の界面活性剤としては、Ｃ１０〜Ｃ１８  Ｎ−（３−メトキシプロピル）グルカミドなどのＮ−アルコキシポリヒドロキシ脂肪酸アミドが挙げられる。発泡性を抑えるためには、Ｎ−プロピル〜Ｎ−ヘキシルＣ１２〜Ｃ１８グルカミドを使用することができる。Ｃ１０〜Ｃ２０の従来型石鹸を使用してもよい。高い泡立ちが望まれる場合には、分岐鎖のＣ１０〜Ｃ１６石鹸を使用してもよい。アニオン性界面活性剤と非イオン性界面活性剤の混合物が特に有用である。他の従来の有用な界面活性剤は、標準的な教科書に列挙されている。
【００８１】
本明細書で有用なその他の界面活性剤としては、米国特許第８０４４２４９号、同第７９９４３６９号、米国特許出願公開第２０１２／００１０４２３号、同第２０１１／００３４３６３号、同第２０１２／００１０４３２号、及び同第２０１１／０１６６３７０号にて開示されるような分岐界面活性剤類が挙げられる。
【００８２】
補助物質
以下に例示される補助剤の非限定的な一覧は、本洗剤組成物における使用に適している場合があり、特定の態様では、例えば、性能を補助若しくは向上させるために、清浄化されるべき基材を処理するために、又は香料、着色剤、染料等を用いる場合などに組成物の審美性を改変させるために組み込むことが望ましい場合がある。このような補助剤の総量は、洗剤組成物の約０．１重量％〜約５０重量％、又は約１重量％〜約３０重量％の範囲であってよい。
【００８３】
このような追加成分の正確な性質、及びそれを組み込む濃度は、組成物の物理的形態及び組成物が使用される作業の性質に応じて変化する。好適な補助剤材料としては、例えばカチオン性ポリマーなどのポリマー、ビルダー、追加のキレート剤、移染防止剤、分散剤、酵素安定剤、触媒材料、ポリマー分散剤、粘土汚れ除去／再付着防止剤、増白剤、泡抑制剤、染料、追加の香料及び香料送達系、構造弾性化剤、柔軟仕上げ剤、キャリア、ヒドロトロープ、加工助剤、並びに／又は顔料が挙げられるが、これらに限定されない。下記開示に加えて、このような他の補助剤の適した例及び使用量は、米国特許第５５７６２８２号、同第６３０６８１２  Ｂ１号及び同第６３２６３４８  Ｂ１号に見ることができる。
【００８４】
ビルダー−本発明の組成物は、１つ以上の洗剤ビルダー又はビルダー系を含有することができる。存在する場合、組成物は、典型的には、少なくとも約１重量％のビルダー、又は約５重量％若しくは１０重量％から約８０重量％まで、５０重量％まで、若しくは３０重量％までのこのようなビルダーを含む。ビルダーとしては、Ｃ１０〜Ｃ２２脂肪酸、クエン酸、ポリホスフェート類のアルカリ金属塩、アンモニウム塩及びアルカノールアンモニウム塩類、アルカリ金属ケイ酸塩、アルカリ土類及びアルカリ金属炭酸塩、アルミノシリケートビルダー、ポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸、カルボキシメチルオキシコハク酸、エチレンジアミン四酢酸及びニトリロ三酢酸などのポリ酢酸の種々のアルカリ金属塩、アンモニウム塩及び置換アンモニウム塩、並びにメリト酸、コハク酸、オキシジコハク酸、ポリマレイン酸、ベンゼン１，３，５−トリカルボン酸、カルボキシメチルオキシコハク酸、及びそれらの可溶性の塩のようなポリカルボン酸塩類が挙げられるが、これらに限定されない。
【００８５】
ある種の態様では、洗剤組成物はホウ酸誘導体を含有する。「ホウ酸誘導体」とは、ホウ酸それ自体及びその他のホウ酸誘導体などのホウ酸含有化合物類であって、少なくともその一部が溶液内にホウ酸又はその化学的同等物として存在するものを意味する。ホウ酸誘導体類の実例としては、ホウ酸、ＭＥＡボレート、ホウ砂、酸化ホウ素、四ホウ酸十水和物、四ホウ酸五水和物、ホウ酸アルカリ金属塩類（例えばオルト−，メタ−，及びピロボレート、並びに五ホウ酸ナトリウム）及びこれらの混合物が挙げられる。
【００８６】
追加のキレート剤−本発明の洗剤組成物は、１つ以上の追加のキレート剤を含んでもよい。キレート剤の組み合わせを用いる場合、キレート剤の組み合わせは、当業者によって、カルシウムイオンの過剰な結合により酵素安定性に悪影響を与えることなく、重金属（例えば第２鉄）封鎖をもたらすように選択されてよい。
【００８７】
本発明で用いるための好適なキレート剤としては、アミノカルボキシレート、アミノホスホネート、ヒドロキシエタンジホスホネート、サクシネート、これらの塩、及びこれらの混合物が挙げられる。本明細書に用いるのに好適なキレート剤の非限定例としては、エチレンジアミンテトラセテート、Ｎ−（ヒドロキシエチル）エチレンジアミントリアセテート、ニトリロトリアセテート、エチレンジアミンテトラプロプリオネート、トリエチレンテトラアミンヘキサセテート、ジエチレントリアミンペンタアセテート、エタノールジグリシン、エチレンジアミンジサクシネート（ＥＤＤＳ）、メチルグリシン二酢酸（ＭＧＤＡ）、ジエチレントリアミン五酢酸（ＤＴＰＡ）、これらの塩、及びこれらの混合物が挙げられる。
【００８８】
本発明で使用するために好適なリン含有キレート剤としては、ジエチレントリアミンペンタ（メチレンホスホン酸）（ＤＴＰＭＰ、ＣＡＳ  １５８２７−６０−８）、エチレンジアミンテトラ（メチレンホスホン酸）（ＥＤＴＭＰ、ＣＡＳ  １４２９−５０−１）、ヘキサメチレンジアミンテトラ（メチレンホスホン酸）（ＣＡＳ  ５６７４４−４７−９）、ヒドロキシエタンジホスホン酸（ＨＥＤＰ、ＣＡＳ  ２８０９−２１−４）、ヒドロキシエタンジメチレンホスホン酸、２−ホスホノ−１，２，４−ブタントリカルボン酸（ＣＡＳ  ３７９７１−３６−１）、２−ヒドロキシ−２−ホスホノ酢酸（ＣＡＳ  ２３７８３−２６−８）、アミノトリ（メチレンホスホン酸）（ＡＴＭＰ、ＣＡＳ  ６４１９−１９−８）、Ｐ，Ｐ’−（１，２−エタンジイル）ビス−ホスホン酸（ＣＡＳ  ６１４５−３１−９）、Ｐ，Ｐ’−メチレンビス−ホスホン酸（ＣＡＳ  １９８４−１５−２）、トリエチレンジアミンテトラ（メチレンホスホン酸）（ＣＡＳ  ２８４４４−５２−２）、Ｐ−（１−ヒドロキシ−１−メチルエチル）−ホスホン酸（ＣＡＳ  ４１６７−１０−６）、ビス（ヘキサメチレントリアミンペンタ（メチレンホスホン酸））（ＣＡＳ  ３４６９０−００−１）、Ｎ２，Ｎ２，Ｎ６，Ｎ６−テトラキス（ホスホノメチル）−リジン（ＣＡＳ  １９４９３３−５６−７、ＣＡＳ  １７２７８０−０３−９）、これらの塩、及びこれらの混合物が挙げられる。
【００８９】
本発明で有用なその他のキレート剤の非限定的な例は、米国特許第７４４５６４４号、同第７５８５３７６号、及び米国特許出願公開第２００９／０１７６６８４Ａ１号に含まれる。本明細書で用いるのに好適なその他のキレート剤は、市販されるＤＥＱＵＥＳＴシリーズ、並びにＭｏｎｓａｎｔｏ、ＤｕＰｏｎｔ、及びＮａｌｃｏ，Ｉｎｃ．のキレート剤である。
【００９０】
追加のキレート剤（類）は、本開示の洗剤組成物中に、本開示の洗剤組成物の約０．０１重量％〜約５重量％、約０．２重量％〜約０．７重量％、又は約０．３重量％〜約０．６重量％存在してよい。
【００９１】
泡改質剤−本発明の組成物は、１つ以上の泡改質剤を含むことができる。泡改質剤については、米国特許第３９３３６７２号、及び同第４１３６０４５号で説明されている。
【００９２】
香料−本発明の組成物及びプロセスに有用な香料及び香料成分には、アルデヒド、ケトン、エステル等を含むが、これらに限定されない多種多様の天然及び合成化学成分が含まれる。また、様々な天然抽出物及び天然エキスも挙げられ、これらには、オレンジ油、レモン油、バラ抽出物、ラベンダー、ムスク、パチョリ、バルサムエキス、ビャクダン油、パイン油、シーダーなどの成分の複雑な混合物を含み得る。最終香料は、このような成分の非常に複雑な混合物を含んでなるものであり得る。最終香料は、典型的には、本明細書における表面処理組成物の約０．０１重量％〜約２重量％を構成し、個々のレイ柔軟剤（lay softeners）は、アミン及びカチオン性柔軟剤と組み合わせて使用することができ、香料成分は、最終的な香料組成物の０．０００１重量％〜約９０重量％を構成してよい。一態様では、本開示の組成物は、香料送達系を含んでよい。好適な香料送達システム、特定の香料送達システムの製造方法及びかかる香料送達システムの使用が、米国特許出願公開第２００７／０２７５８６６（Ａ１）号に開示されている。一態様では、こうした香料送達系は香料マイクロカプセルであってよい。一態様では、前記の香料マイクロカプセルは、香料及びシェルを含むコアを含有してよく、前記シェルは前記コアを封入する。一態様では、前記シェルは、アミノ樹脂共重合体、特に、メラミンホルムアルデヒド若しくは尿素ホルムアルデヒド、又は架橋メラミンホルムアルデヒド、アクリル、アクリレート、及びこれらの混合物からなる群から選択される材料を含有してよい。一態様では、前記香料マイクロカプセルのシェルは、香料マイクロカプセルの沈着及び／又は定着に役立つ１つ以上の材料、例えばポリマーで、本開示の組成物を用いて処理される箇所をコーティングしてよい。一態様では、前記ポリマーは多糖類、カチオン変性デンプン、カチオン変性グアー、ポリシロキサン、ポリジアリルジメチルアンモニウムハロゲン化物、ポリジアリルジメチルアンモニウムクロリドとビニルピロリドンとのコポリマー、アクリルアミド、イミダゾール、イミダゾリニウムハロゲン化物、イミダゾリウムハロゲン化物、ポリビニルアミン、ポリビニルアミンとＮ−ビニルホルムアミドとのコポリマー、及びこれらの混合物からなる群から選択されるカチオン性ポリマーであってよい。一態様では、前記香料マイクロカプセルは砕けやすくてよく、及び／又は約１０μｍ〜約５００μｍ、又は約２０μｍ〜約２００μｍの平均粒径を有してよい。一態様において、前記組成物は、組成物の総重量に基づいて、約０．０１重量％〜約８０重量％、約０．１重量％〜約５０重量％、約１．０重量％〜約２５重量％、又は約１．０重量％〜約１０重量％、の前記香料マイクロカプセルを含んでよい。好適なカプセルは、Ａｐｐｌｅｔｏｎ  Ｐａｐｅｒｓ  Ｉｎｃ．（Ａｐｐｌｅｔｏｎ，Ｗｉｓｃｏｎｓｉｎ  ＵＳＡ）から入手可能である。ホルムアルデヒド捕捉剤は、こうした香料マイクロカプセルの中で用いることも、こうした香料マイクロカプセルと併せて用いることもできる。
【００９３】
ポリマー−本発明の洗剤組成物は、グリース洗浄ポリマー、又は土壌懸濁ポリマーなどのポリマー類を含んでよい。グリース洗浄ポリマー及び／又は土壌懸濁ポリマーの非限定的な例としては、アルコキシル化ポリアルキレンイミンポリマーが挙げられ、その例は、米国特許第３４８９６８６号、同第５５６５１４５号、ＰＣＴ公報ＷＯ  ２００６／１０８８５７号、及び米国特許出願公開第１２／２６６，７５１号に見出すことができる。
【００９４】
移染防止剤−本発明の組成物はまた、１つ以上の移染防止剤を含んでもよい。好適な高分子移染防止剤としては、ポリビニルピロリドンポリマー、ポリアミンＮ−オキシドポリマー、Ｎ−ビニルピロリドンとＮ−ビニルイミダゾールのコポリマー、ポリビニルオキサゾリドン及びポリビニルイミダゾール又はこれらの混合物が挙げられるが、これらに限定されない。本明細書の組成物中に存在する場合、移染防止剤は、洗浄組成物の約０．０００１重量％から、約０．０１重量％から、又は約０．０５重量％から、洗浄組成物の約１０重量％まで、約２重量％まで、又は約１重量％までの濃度で存在する。
【００９５】
分散剤−本発明の組成物は分散剤も含んでよい。好適な水溶性有機材料は、ホモポリマー又はコポリマーの酸又はそれらの塩であり、それらのうちのポリカルボン酸は、互いに炭素原子２個を超えない程度に離れている少なくとも２個のカルボキシル基を含み得る。
【００９６】
布地色調剤−組成物は布地色調剤（シェーディング剤、青味剤、又は増白剤と呼ばれることもある）を含んでもよい。典型的には、色調剤は布地に青又はバイオレットの色合いをもたらす。色調剤は単独で又は組み合わせて使用して、特有な色合いを作り出す、及び／又は異なる種類の布地に色合いをつけることができる。これは、例えば、赤と緑−青の染料とを混合して、青又は紫の色合いを生じさせることにより、提供され得る。色調剤は、アクリジン、アントラキノン（多環式キノンを含む）、アジン、前金属化した（premetallized）アゾを含むアゾ（例えば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、これらに限定されない任意の周知される染料の化学分類から選択してよい。
【００９７】
好適な布地色調剤としては、染料、染料−粘土共役体、並びに有機及び無機顔料類が挙げられる。適切な染料としては、小分子染料及びポリマー染料が挙げられる。好適な小分子染料としては、例えば、青、バイオレット、赤、緑、又は黒に分類され、単独で又は組み合わせで所望の色合いをもたらす、直接染料、塩基性染料、反応染料、又は加水分解した反応性染料、加水分解した溶剤染料、若しくは加水分解した分散染料の色指数（Ｃ．Ｉ．）分類に分類される染料からなる群から選択される小分子染料が挙げられる。別の態様では、好適な小分子染料としては、色指数（Ｓｏｃｉｅｔｙ  ｏｆ  Ｄｙｅｒｓ  ａｎｄ  Ｃｏｌｏｕｒｉｓｔｓ，Ｂｒａｄｆｏｒｄ，ＵＫ）番号９、３５、４８、５１、６６，及び９９などのダイレクトバイオレット染料、１、７１、８０及び２７９などのダイレクトブルー染料、１７、７３、５２、８８、及び１５０などのアシッドレッド染料、１５、１７、２４、４３、４９、及び５０などのアシッドバイオレット染料、１５、１７、２５、２９、４０、４５、７５、８０、８３、９０、及び１１３などのアシッドブルー染料、１などのアシッドブラック染料、１、３、４、１０、及び３５などのベーシックバイオレット染料、３、１６、２２、４７、６６、７５、及び１５９などのベーシックブルー染料、欧州特許第１７９４２７５号、若しくは同第１７９４２７６号に記載されるような分散染料又は溶剤染料、又は米国特許第７２０８４５９  Ｂ２号に記載の染料、並びにこれらの混合物からなる群から選択される小分子染料が挙げられる。別の態様では、好適な小分子染料としては、Ｃ．Ｉ．番号アシッドバイオレット１７、ダイレクトブルー７１、ダイレクトバイオレット５１、ダイレクトブルー１、アシッドレッド８８、アシッドレッド１５０、アシッドブルー２９、アシッドブルー１１３、又はこれらの混合物からなる群から選択される小分子染料が挙げられる。
【００９８】
好適な高分子染料としては、例えばポリマーと色原体とを共重合してポリマーの主鎖にしたものなどの、共有結合（共役結合と呼ばれることもある）した色原体を含有するポリマー類（染料−ポリマー共役結合）、及びこれらの混合物からなる群から選択される高分子染料が挙げられる。高分子染料としては、ＰＣＴ公報第ＷＯ２０１１／９８３５５号、同第ＷＯ２０１１／４７９８７号、米国特許出願公開第２０１２／０９０１０２号、ＰＣＴ公報第ＷＯ２０１０／１４５８８７号、同第ＷＯ２００６／０５５７８７号、及び同第ＷＯ２０１０／１４２５０３号に記載されるものが挙げられる。
【００９９】
別の態様では、適切なポリマー染料としては、Ｌｉｑｕｉｔｉｎｔ（登録商標）（Ｍｉｌｌｉｋｅｎ、米国サウスカロライナ州スパータンバーグ）の名称で市販されている布地直接着色剤、及び少なくとも１つの反応染料と、ヒドロキシル部分、１級アミン部分、２級アミン部分、チオール部分、及びこれらの混合物からなる群から選択される部分を含むポリマーからなる群から選択されるポリマーから形成されている染料−ポリマー共役体が挙げられる。更に別の様態では、好適な高分子染料としては、Ｌｉｑｕｉｔｉｎｔ（登録商標）Ｖｉｏｌｅｔ  ＣＴ（Ｍｅｇａｚｙｍｅ，Ｗｉｃｋｌｏｗ，Ｉｒｅｌａｎｄ）より、商品名ＡＺＯ−ＣＭ−ＣＥＬＬＵＬＯＳＥ、製品コードＳ−ＡＣＭＣで市販される、Ｃ．Ｉ．リアクティブブルー１９と共役したブルーカルボキシメチルセルロース（ＣＭＣ）などの、リアクティブブルー、リアクティブバイオレット、又はリアクティブレッド染料と共有結合したＣＭＣ、アルコキシル化トリフェニル−メタン重合着色剤、アルコキシル化チオフェン重合着色剤、及びこれらの混合物からなる群から選択される高分子染料が挙げられる。
【０１００】
好ましい色調染料として、ＰＣＴ公報第ＷＯ  ０８／８７４９７  Ａ１号、同ＷＯ２０１１／０１１７９９第、及び同ＷＯ２０１２／０５４８３５第に含まれる増白剤が挙げられる。本発明で使用するために好適な色調剤は、ＰＣＴ公報第ＷＯ２０１１／０１１７９９号の表５の実施例１〜４２から選択される染料を含む、これらの参考文献に開示される好適な染料であってよい。その他の好適な染料は、米国特許第８１３８２２２号に開示されている。その他の好適な染料は、ＰＣＴ公報第ＷＯ２００９／０６９０７７号に開示されている。
【０１０１】
適切な染料粘土共役体には、少なくとも１つのカチオン性／塩基性染料とスメクタイト粘土を含む群から選択される染料粘土共役体、及びこれらの混合物が挙げられる。別の態様では、好適な染料粘土共役体としては、以下のＣ．Ｉ．からなる群から選択される１つのカチオン性／塩基性染料からなる群から選択される染料粘土共役体が挙げられる：ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１、及びモンモリロナイト粘土、ヘクトライト粘土、サポナイト粘土、及びそれらの組み合わせからなる群から選択される粘土。更に別の態様では、好適な染料粘土共役体としては、以下からなる群から選択される染料粘土共役体が挙げられる：モンモリロナイトベーシックブルーＢ７  Ｃ．Ｉ．４２５９５共役体、モンモリロナイトベーシックブルーＢ９  Ｃ．Ｉ．５２０１５共役体、モンモリロナイトベーシックバイオレットＶ３  Ｃ．Ｉ．４２５５５共役体、モンモリロナイトベーシックグリーンＧ１  Ｃ．Ｉ．４２０４０共役体、モンモリロナイトベーシックレッドＲ１  Ｃ．Ｉ．４５１６０共役体、モンモリロナイトＣ．Ｉ．ベーシックブラック２共役体、ヘクトライトベーシックブルーＢ７  Ｃ．Ｉ．４２５９５共役体、ヘクトライトベーシックブルーＢ９  Ｃ．Ｉ．５２０１５共役体、ヘクトライトベーシックバイオレットＶ３  Ｃ．Ｉ．４２５５５共役体、ヘクトライトベーシックグリーンＧ１  Ｃ．Ｉ．４２０４０共役体、ヘクトライトベーシックレッドＲ１  Ｃ．Ｉ．４５１６０共役体、ヘクトライトＣ．Ｉ．ベーシックブラック２共役体、サポナイトベーシックブルーＢ７  Ｃ．Ｉ．４２５９５共役体、サポナイトベーシックブルーＢ９  Ｃ．Ｉ．５２０１５共役体、サポナイトベーシックバイオレットＶ３  Ｃ．Ｉ．４２５５５共役体、サポナイトベーシックグリーンＧ１  Ｃ．Ｉ．４２０４０共役体、サポナイトベーシックレッドＲ１  Ｃ．Ｉ．４５１６０共役体、サポナイトＣ．Ｉ．ベーシックブラック２共役体及びこれらの混合物。
【０１０２】
適切な顔料としては、フラバントロン、インダントロン、１〜４個の塩素原子を有する塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（イミド基は置換されていないか、あるいは、Ｃ１〜Ｃ３−アルキル又はフェニル若しくは複素環式ラジカルで置換されていてもよく、このフェニル及び複素環式ラジカルは更に、水溶性を付与しない置換基を有していてもよい）、アントラピリミジンカルボン酸アミド、ビオラントロン、イソビオラントロン、ジオキサジン顔料、銅フタロシアニン（１分子当たり２個以下の塩素原子を有していてもよい）、ポリクロロ−銅フタロシアニン、又はポリブロモクロロ−銅フタロシアニン（１分子当たり１４個以下の臭素原子を有する）、及びこれらの混合物からなる群から選択される顔料が挙げられる。
【０１０３】
別の態様では、好適な顔料としては、ウルトラマリンブルー（Ｃ．Ｉ．顔料２９）、ウルトラマリンバイオレット（Ｃ．Ｉ．顔料１５）、及びこれらの混合物からなる群から選択される顔料が挙げられる。
【０１０４】
上述の布地色調剤は、組み合わせて使用することができる（布地色調剤の任意の混合物を使用することができる）。
【０１０５】
構造化剤−本発明のいくつかの態様では、洗濯洗剤組成物は、更に構造化剤を含有する。有用な構造化剤としては、米国特許出願公開第２００６／０２０５６３１Ａ１号、同第２００５／０２０３２１３Ａ１号、米国特許第７２９４６１１号、及び同第６８５５６８０号で開示されるようなものが挙げられる。米国特許第６８５５６８０号では、好適なヒドロキシ官能結晶性物質が詳細に定義されている。好適な構造化剤は硬化ヒマシ油である。有用な構造剤の非限定例として、硬化ヒマシ油；硬化ヒマシ油誘導体；微小繊維性セルロース；ヒドロキシ官能結晶性物質、長鎖脂肪アルコール、１２−ヒドロキシステアリン酸；粘土、及びこれらの混合物の群から選択されるものが挙げられる。いくつかの態様では、低分子量の有機ゲル化剤（organogellants）を使用してよい。このような材料は、Ｒｉｃｈａｒｄ  Ｇ．Ｗｅｉｓｓ及びＰｉｅｒｒｅ  Ｔｅｒｅｃｈ編集のＭｏｌｅｃｕｌａｒ  Ｇｅｌｓ，Ｍａｔｅｒｉａｌｓ  ｗｉｔｈ  Ｓｅｌｆ−Ａｓｓｅｍｂｌｅｄ  Ｆｉｂｒｉｌｌａｒ  Ｎｅｔｗｏｒｋｓに定義されている。
【０１０６】
真珠光沢剤−本発明のいくつかの態様では、洗濯洗剤組成物は更に、真珠光沢剤を含有する。有用な真珠光沢剤としては、米国特許出願公開第２００８／０２３４１６５Ａ１号に記載されるようなものが挙げられる。真珠光沢剤の非限定例は、雲母；二酸化チタン被覆雲母；オキシ塩化ビスマス；魚のうろこ；以下の式のアルキレングリコールのモノ及びジエステルの群から選択してよい。
【０１０７】
【化１２】
2014527108.tif 000013
式中、
ａ．Ｒ１は直鎖又は分岐鎖のＣ１２〜Ｃ２２アルキル基であり、
ｂ．Ｒは直鎖又は分岐鎖のＣ２〜Ｃ４のアルキレン基である、
ｃ．Ｐは、Ｈ；Ｃ１〜Ｃ４アルキル；又は−ＣＯＲ２の群から選択され、
ｄ．ｎ＝１〜３である。
【０１０８】
いくつかの態様では、アルキレングリコールがエチレングリコールジステアリン酸（ＥＧＤＳ）となるように、Ｒ２はＲ１と等しい。
【０１０９】
ｐＨ
本開示の洗剤組成物の特定の態様によれば、洗剤組成物のｐＨは発色及び／又は酵素安定性に影響を持ち得る。一態様によれば、洗剤組成物は約４．５〜約１０の範囲のｐＨを有してもよい。別の態様では、洗剤組成物は約７〜約９の範囲のｐＨを有してもよい。別の態様では、洗剤組成物は約７．５〜約８．５の範囲のｐＨを有してもよい。別の態様では、洗剤組成物は約８の、又は約８．０〜約８．２のｐＨを有してもよい。
【０１１０】
Ｃ．色形成の測定方法
本明細書にて開示したように、本発明の２−ピリジノール−Ｎ−オキシド化合物は、洗剤組成物内で望ましからぬ、又は不適合な、第２鉄との有色錯体を生成しない。本発明の化合物などのキレート剤を、第２鉄を含有する洗剤組成物へ導入することに関係する色は、当該技術分野において周知される任意の比色分析法又は分光分析法によって測定できる。好適な比色分析法としては、例えば、ガードナーカラースケール法（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ（「ＡＳＴＭ」）のＡＳＴＭ  Ｄ１５４４、Ｄ６１６６の方法、及び／又はＡｍｅｒｉｃａｎ  Ｏｉｌ  Ｃｈｅｍｉｓｔｓ’  Ｓｏｃｉｅｔｙ（「ＡＯＣＳ」）のＡＯＣＳ  Ｔｄ−１ａ−６４の方法による）、ハンターＬ．ａ．ｂ．（ＣＩＥ）カラースケール法（ＡＳＴＭ  Ｄ５３８６−９３ｂによる）、Ａｍｅｒｉｃａｎ  Ｐｕｂｌｉｃ  Ｈｅａｌｔｈ  Ａｓｓｏｃｉａｔｉｏｎ（「ＡＰＨＡ」）カラースケール法（ＡＳＴＭ  Ｄ１２０９又はＡＯＣＳ  Ｔｄ−１ｂ−６４による）、セーボルトカラースケール法（ＡＳＴＭ  Ｄ１５６又はＤ６０４５による）、又はロビボンド（レッド）スケール法（ＡＯＣＳ  Ｃｃ−１３ｂ−４５による）が挙げられる。本開示はいずれかの特定の比色分析測定法にも限定されず、洗剤組成物の種々の態様において観察される色は、いかなる好適な比色分析法によって測定され得るということに留意すべきである。
【０１１１】
色形成は、例えば分光光度法、例えば、洗剤組成物／第２鉄混合物による特定の波長光の吸収度を測定することによってなど、を用いて測定可能である。この分光光度法に従い、低濃度の第２鉄を含む洗剤組成物の成分が全て結合して、試料の色が平衡化した後に、洗剤試料を重量基準で１：１０で水に希釈し、１ｃｍの使い捨てキュベット内でＢｅｃｋｍａｎ  Ｃｏｕｌｔｅｒ  ＤＵ  ８００ＵＶ／Ｖｉｓ分光光度計を用いて分析する。この計器を４００〜７００ｎｍで走査させるように設定する。各測定での吸収度対波長のプロットが作成される。
【０１１２】
Ｄ．洗剤組成物の製造方法
本発明の洗剤組成物は、いかなる適切な形態にも処方されることができ、配合者によって選択される任意のプロセスによって調製され、プロセスの非限定例は、米国特許第５，８７９，５８４号、同第５，６９１，２９７号、同第５，５７４，００５号、同第５，５６９，６４５号、同第５，５６５，４２２号、同第５，５１６，４４８号、同第５，４８９，３９２号、及び同第５，４８６，３０３号に記載されている。
【０１１３】
一態様では、本明細書に開示されている洗剤組成物は、その成分をいずれかの簡便な順番で組み合わせることによって、及び得られた成分の組み合わせを混合、例えば、撹拌して相安定液体洗剤組成物を形成することによって、調製されてもよい。一態様では、液体成分、例えば非イオン性界面活性剤、非界面活性液体キャリア及び他の任意の液体成分の、少なくとも主要部分、又は更には実質的に全てを含有する、液体マトリクスを形成し、この液体成分を剪断撹拌に付することによりこの液体の組み合せを完全に混合する。例えば、機械撹拌器での高速撹拌が有用に使用される。剪断撹拌が維持される間に、２−ピリジノール−Ｎ−オキシド化合物、並びに実質的に全ての任意のアニオン性界面活性剤及び固体成分を添加してよい。混合物の撹拌を継続し、必要ならばその時点で撹拌量を増加させ、液相中に不溶性固相粒子の溶液又は均一分散を形成する。固体形態の物質のいくらか又は全てがこの撹拌混合物に添加された後、包含されるべき任意の酵素物質の粒子、例えば、酵素プリルが組み込まれる。上述した組成物調製手順の変形として、１つ以上の固形成分を１つ以上の液体成分の微量部分と予混合した粒子の溶液又はスラリーとして撹拌混合物に添加してもよい。全ての組成物成分を添加した後、混合物の撹拌は、必要な粘度及び相安定度特性を有する組成物を形成するのに十分な時間継続される。しばしば、これには約３０分〜６０分間の撹拌を伴う。
【０１１４】
Ｅ．洗剤組成物の使用方法
本開示の洗剤組成物は、布地の洗浄、処理及び／又は前処理に使用することができる。典型的には布地の少なくとも一部分を上述の洗剤組成物と、非希釈形態で、又は液体、例えば洗浄溶液中に希釈された形態で接触させた後に、布地を任意に洗浄及び／又はすすぎをしてよい。一態様では、布地を任意に洗浄し、及び／又はすすぎ、上述の洗剤組成物と接触させ、続いて任意に洗浄及び／又はすすぐ。別の態様では、布地を洗浄する前に、洗剤組成物を汚れた布地に適用して、続いて放置して布地に作用させる。組成物は、乾燥するまで若しくはそれよりも長い時間、又は１分〜２４時間、１分〜１時間、又は５分〜３０分間、布地と接触したままにしてよい。本発明の目的上、洗浄することは、スクラビング、ブラッシング、及び機械的撹拌を含むが、これらに限定されない。典型的には、洗浄及び／又はすすぎの後に、布地を乾燥させる。「布地」には洗濯又は処理できるほとんどあらゆる布地を含んでよい。
【０１１５】
本開示の洗剤組成物は、布地の洗濯で使用するための水性洗浄溶液を形成するために使用されてもよい。一般に、有効量のこうした組成物を、例えば、従来の布地洗濯自動洗濯機にて、又は手洗い法によって、水に添加し、こうした水性洗濯溶液を形成する。次に、このように形成した水性洗浄溶液を、時には撹拌下で、水性洗浄溶液によって洗濯する布地と接触させる。本開示のＨＤＬ洗剤組成物のような洗剤組成物の有効量を水に加えて、約２００〜約１５，０００ｐｐｍ、又は更には約３００〜約７，０００ｐｐｍの洗剤組成物を含んでよい水性洗濯溶液を形成してもよい。
【０１１６】
次の代表的な実施例は、例示目的で挙げられるものであり、限定を目的としない。
【実施例】
【０１１７】
液体洗剤組成物は、列挙された成分を下記の比率で混合することにより調製することができる。
【０１１８】
【表１】
2014527108.tif 000014
１  −ＮＨ当たり２０個のエトキシレート基を有する、分子量６００ｇ／ｍｏｌのポリエチレンイミンコア。ＢＡＳＦ（Ｌｕｄｗｉｇｓｈａｆｅｎ，Ｇｅｒｍａｎｙ）より入手可能。
２  −ＮＨ当たり２４個のエトキシレート基と−ＮＨ当たり１６個のプロポキシレート基とを有する、分子量６００ｇ／ｍｏｌのポリエチレンイミンコア。ＢＡＳＦ（Ｌｕｄｗｉｇｓｈａｆｅｎ，Ｇｅｒｍａｎｙ）より入手可能。
３  Ｇｅｎｅｎｃｏｒ  Ｉｎｔｅｒｎａｔｉｏｎａｌ（Ｓｏｕｔｈ  Ｓａｎ  Ｆｒａｎｃｉｓｃｏ，ＣＡ）から入手可能。
４  Ｎｏｖｏｚｙｍｅｓ（Ｂａｇｓｖａｅｒｄ，Ｄｅｎｍａｒｋ）から入手可能。
５  Ｔｈｉｘｃｉｎ（登録商標）Ｒの商標名にてＥｌｅｍｅｎｔｉｓ  Ｓｐｅｃｉａｌｔｉｅｓ（Ｈｉｇｈｓｔｏｗｎ，ＮＪ）から入手可能。
【０１１９】
【表２】
2014527108.tif 000015
１  Ｇｅｎｅｎｃｏｒ  Ｉｎｔｅｒｎａｔｉｏｎａｌ（Ｓｏｕｔｈ  Ｓａｎ  Ｆｒａｎｃｉｓｃｏ，ＣＡ）から入手可能。
２  Ｎｏｖｏｚｙｍｅｓ（Ｂａｇｓｖａｅｒｄ，Ｄｅｎｍａｒｋ）から入手可能。
３  −ＮＨ当たり２０個のエトキシレート基を有する、分子量６００ｇ／ｍｏｌのポリエチレンイミンコア。ＢＡＳＦ（Ｌｕｄｗｉｇｓｈａｆｅｎ，Ｇｅｒｍａｎｙ）より入手可能。
４  ＰＣＴ公報第ＷＯ  ０１／０５８７４号に記載され、ＢＡＳＦ（Ｌｕｄｗｉｇｓｈａｆｅｎ，Ｇｅｒｍａｎｙ）より入手可能。
５  −ＮＨ当たり２４個のエトキシレート基と−ＮＨ当たり１６個のプロポキシレート基とを有する、分子量６００ｇ／ｍｏｌのポリエチレンイミンコア。ＢＡＳＦ（Ｌｕｄｗｉｇｓｈａｆｅｎ，Ｇｅｒｍａｎｙ）より入手可能。
６  ＰＥＧ−ＰＶＡグラフトコポリマーは、ポリエチレンオキシド主鎖と複数のポリビニルアセテート側鎖とを有する、ポリ酢酸ビニルグラフト化ポリエチレンオキシドコポリマーである。ポリエチレンオキシド主鎖の分子量は約６０００であり、ポリエチレンオキシドとポリ酢酸ビニルとの重量比は約４０：６０であり、エチレンオキシド単位５０個当たりグラフト点は１個以下である。ＢＡＳＦ（Ｌｕｄｗｉｇｓｈａｆｅｎ，Ｇｅｒｍａｎｙ）より入手可能。
７  Ｔｈｉｘｃｉｎ（登録商標）Ｒの商標名にてＥｌｅｍｅｎｔｉｓ  Ｓｐｅｃｉａｌｔｉｅｓ（Ｈｉｇｈｓｔｏｗｎ，ＮＪ）から入手可能。
【０１２０】
試験データ
（実施例１）
試験のために、下記の表３の洗剤組成物を作成する。
【０１２１】
【表３】
2014527108.tif 000016
【０１２２】
全ての成分を組み合わせた後に、オーバーヘッドミキサーで試料を均質化する。続いて、１．０ＭのＨＣｌ及びＮａＯＨを用いて、各洗剤配合のｐＨを８．３に調整する。
【０１２３】
染み除去指数（ＳＲＩ）は、「Ｓｔａｎｄａｒｄ  Ｇｕｉｄｅ  ｆｏｒ  Ｅｖａｌｕａｔｉｎｇ  Ｓｔａｉｎ  Ｒｅｍｏｖａｌ  Ｐｅｒｆｏｒｍａｎｃｅ  ｉｎ  Ｈｏｍｅ  Ｌａｕｎｄｅｒｉｎｇ」（ＡＳＴＭ  Ｄ４２６５−９８）の変法を用いて測定する。変更は以下を含む：少なくとも３回の外部反復試験区（external replicates）及び少なくとも３回の内部反復試験区（internal replicates）を試験する；布地を平らな表面上に配置し、液体の場合はピペットを用いて、固体の場合はブラシを用いて、それぞれ所定の量の染みを付与することにより、染みを適用する；変性人工皮脂及びエアフィルタの埃は試験しない。試験する汚れは、ＥＭＣ、Ｅｍｐｉｒｉｃａｌ  Ｍａｎｕｆａｃｔｕｒｉｎｇ  Ｃｏｍｐａｎｙによって供給される。
【０１２４】
前処理のため、全洗浄時間試験（through-the-wash testing）のために計量した生成物の一部分を用いて染みを前処理する。染みを水平面に設置する。Ｍａｎｏｓｔａｔシリンジ、又はその同等物を使用して、それぞれの染みを１ｍＬの洗剤組成物生成物で覆う。生成物は軽く伸びて染み全体を覆い、染みにすり込む必要はない。染みの全てが前処理された後、示されるように、染みを５分間又は１６時間のいずれか、平らにして放置する。全ての生成物に対して、前処理する染みの程度を一定に保つこと。全洗浄時間試験のために計量した生成物の一部分を、洗濯機に直接添加する。洗浄はＮｏｒｔｈ  Ａｍｅｒｉｃａｎ製縦型洗濯機にて実施し、硬度６ｇｐｇ（０．１０ｇ／Ｌ）の水を用いて、３２℃（９０°Ｆ）にて１２分間洗浄し、続いて１６℃（６０°Ｆ）で２分間すすぎを行う。ＳＲＩ測定を実施する前に、自動乾燥機で布地を乾燥させる。
【０１２５】
【表４】
2014527108.tif 000017
【０１２６】
誤差を超えたΔ  ＳＲＩの差異（ＴｕｋｅｙのＨＳＤ法）は統計的に有意であり、イタリック体で示されている。ＳＲＩスケールの値０は初期染みの除去が０であることと等しく、一方で値１００は完全に除去したことを示す。０未満の値は染みの黒化を示し、一方で１００を超える値は布地が染みのない基準物（reference）よりも白くなることを示す。表４の結果は、洗浄前に洗剤で前処理することの影響を示している。驚くべきことに、過酸化水素の存在下でなくとも、生成物２などの２−ピリジノール−１−オキシドを含有する組成物を用いたわずか５分間の前処理が、茶葉の染みに対する有意な効果を示した（４０−５４  ＳＲＩ）。
【０１２７】
（実施例２）
実施例１の生成物１をベースとした洗剤配合物を試験のために作成した。表５に記載される通りに、０．５重量％の３−ピリジンカルボン酸，２−ヒドロキシ，１−オキシド、ＥＤＤＳ、ＤＴＰＭＰ、及びＤＴＰＡを配合物に添加する。全ての洗剤配合物のｐＨを生成物１のｐＨに調整する。ＳＲＩ指数の決定及び前処理試験を実施例１と同様の方法で行う。洗浄はＮｏｒｔｈ  Ａｍｅｒｉｃａｎ製縦型洗濯機にて実施し、硬度６ｇｐｇ（０．１０ｇ／Ｌ）の水を用いて、３２℃（９０°Ｆ）にて１２分間洗浄し、続いて１６℃（６０°Ｆ）で２分間すすぎを行う。
【０１２８】
【表５】
2014527108.tif 000018
＃  有意（Significant）対生成物１
＊有意対ＥＤＤＳ、ＤＴＰＭＰ、及びＤＴＰＡ
【０１２９】
誤差を超えたΔ  ＳＲＩの差異（ＴｕｋｅｙのＨＳＤ法）は統計的に有意であり、イタリック体で示されている。表５の結果は、洗浄前に洗剤で前処理することの影響を示している。結果は、試験された組成物を用いた５分間の前処理が、キレート剤を含まない生成物１に対して有意な効果をもたらすことを示している。驚くべきことに、３−ピリジンカルボン酸，２−ヒドロキシ−，１−オキシドは、試験された他のキレート剤に対して有意な効果を示している。
【０１３０】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。
【０１３１】
本発明の「発明を実施するための形態」で引用した全ての文献は、関連部分において本明細書に援用するが、いずれの文献の引用もそうした文献が本発明に対する先行技術であることを容認するものとして解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【０１３２】
本発明の特定の態様について説明し記載したが、本発明の趣旨及び範囲から逸脱することなく他の様々な変更及び修正が可能であることが当業者には自明である。したがって、本発明の範囲内にあるそのような全ての変更及び修正を添付の特許請求の範囲で扱うものとする。
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
洗剤組成物であって、
ａ）第２鉄と、
ｂ）置換又は非置換の２−ピリジノールＮ−オキシド化合物、その互変異性体、又はその塩とを含有し、漂白剤を実質的に含有しない、洗剤組成物。
【請求項２】
前記置換又は非置換の２−ピリジノールＮ−オキシド化合物が、以下の構造を含み：
【化１】
2014527108.tif 000020
式中、各Ｒ１は独立してＨ、Ｃｌ、Ｂｒ、Ｉ、Ｆ、ＮＯ、ＮＯ２、（ＣＨ２）ｎＧ、及びこれらの混合物からなる群から選択され、
ここで各Ｇは独立して（Ｏ）ｍＳＯ３Ｍ、（Ｏ）ｍＣＯ２Ｍ、（Ｏ）ｍＣ（Ｏ）（Ｒ２）、（Ｏ）ｍＣ（Ｏ）Ｎ（Ｒ２）２、（Ｏ）ｍＣＮ、（Ｏ）ｍ（Ｒ２）、Ｎ（Ｒ２）２、及びこれらの混合物からなる群から選択され、
各ｍは０又は１であり、
各ｎは０から４の整数であり、
各Ｒ２は、独立してＨ及び置換又は非置換のＣ１〜Ｃ１２の有機基からなる群から選択され、かつ
各Ｍは独立して、Ｒ２（Ｒ２は上記に定義される通り）、
Ｎ＋（Ｒ２）４、及び１／ｑ  Ｍ’ｑ＋からなる群から選択され、式中Ｍ’は、電荷ｑのアルカリ金属及び電荷ｑのアルカリ土類金属からなる群から選択され、ここで２つの隣接する任意のＲ１が一緒になって別の５員又は６員の芳香族環又は脂肪族環を形成し、５員又は６員の芳香族環又は脂肪族環は、任意でＣｌ、Ｂｒ、Ｉ、Ｆ、ＮＯ、ＮＯ２、ＣＮ、（ＣＨ２）ｎＧ、及びこれらの混合物からなる群から選択される１つ以上の基と置換されている、請求項１に記載の洗剤組成物。
【請求項３】
各Ｒ１は独立してＨ、Ｃｌ、及び（ＣＨ２）ｎＧからなる群から選択され、ここでＧは独立して（Ｏ）ｍＳＯ３Ｍ、（Ｏ）ｍＣＯ２Ｍ、（Ｏ）ｍＣ（Ｏ）（Ｒ２）、（Ｏ）ｍＣＮ、及び（Ｏ）ｍ（Ｒ２）からなる群から選択され、各ｍは０又は１であり、好ましくは各Ｒ１は独立して、Ｈ、ＳＯ３Ｍ、及びＣＯ２Ｍからなる群から選択され、かつたった１つのＲ１がＳＯ３Ｍ又はＣＯ２Ｍである、請求項２に記載の洗剤組成物。
【請求項４】
前記置換又は非置換の２−ピリジノールＮ−オキシド化合物が、ヒドロキシ−２（１Ｈ）ーピリジノン、１，６−ジヒドロ−１−ヒドロキシ−６−オキソ−３−ピリジンカルボン酸、１，２−ジヒドロ−１−ヒドロキシ−２−オキソ−４−ピリジンカルボン酸、１，６−ジヒドロ−１−ヒドロキシ−６−オキソ−２−ピリジンカルボン酸、１−ヒドロキシ−４−メチル−６−（２，４，４−トリメチルペンチル）−２（１Ｈ）−ピリジノン、６−（シクロヘキシルメチル）−１−ヒドロキシ−４−メチル−２（１Ｈ）−ピリジノン、１−ヒドロキシ−４，６−ジメチル−２（１Ｈ）−ピリジノン、１−ヒドロキシ−４−メチル−６−（２，４，４−トリメチルペンチル）−２−ピリドンモノエタノールアミン、１−ヒドロキシ−６−（オクチロキシ）−２（１Ｈ）−ピリジノン、１−ヒドロキシ−４−メチル−６−シクロヘキシル−２−ピリジノンエタノールアミン塩、１−ヒドロキシ−４−メチル−６−シクロヘキシル−２−ピリジノン、６−エトキシ−１，２−ジヒドロ−１−ヒドロキシ−２−オキソ−４−ピリジンカルボン酸，メチルエステル、１−ヒドロキシ−５−ニトロ−２（１Ｈ）−ピリジノン、２−ヒドロキシピリジン−１−オキシド、３−ピリジンカルボン酸，２−ヒドロキシ−，１−オキシド、６−ヒドロキシ−３−ピリジンカルボン酸，１−オキシド、２−ヒドロキシ−４−ピリジンカルボン酸，１−オキシド、２−ピリジンカルボン酸，６−ヒドロキシ−，１−オキシド、６−ヒドロキシ−３−ピリジンスルホン酸，１−オキシド、並びにこれらの混合物からなる群から選択される、請求項１に記載の洗剤組成物。
【請求項５】
前記置換又は非置換の２−ピリジノール−Ｎ−オキシド化合物の分子量が４００ダルトン未満である、請求項１に記載の洗剤組成物。
【請求項６】
前記組成物が、０．０５重量％〜２重量％、好ましくは０．１５重量％〜０．５重量％の前記置換又は非置換の２−ピリジノール−Ｎ−オキシド化合物を含有する、請求項１に記載の洗剤組成物。
【請求項７】
前記組成物が少なくとも０．２ｐｐｍの前記第２鉄を含有する、請求項１に記載の洗剤組成物。
【請求項８】
前記置換又は非置換のピリジノール−Ｎ−オキシド化合物と前記第２鉄とのモル比が少なくとも３：１である、請求項１に記載の洗剤組成物。
【請求項９】
前記組成物が０重量％〜０．０１重量％の漂白剤を含有する、請求項１に記載の洗剤組成物。
【請求項１０】
前記組成物が５重量％〜７０重量％の界面活性剤を更に含有し、前記界面活性剤がアニオン性界面活性剤、非イオン性界面活性剤、双性イオン性界面活性剤、アミンオキシド、及びこれらの混合物からなる群から選択される、請求項１に記載の洗剤組成物。
【請求項１１】
前記組成物が、アニオン性界面活性剤と非イオン性界面活性剤との混合物を含有し、前記アニオン性界面活性剤と前記非イオン性界面活性剤との重量比が、１０：９０〜９０：１０、好ましくは３０：７０〜７０：３０である、請求項１０に記載の洗剤組成物。
【請求項１２】
前記組成物がポリマー、ビルダー、追加のキレート剤、移染防止剤、分散剤、酵素、酵素安定剤、触媒材料、ポリマー分散剤、粘土汚れ除去剤、再付着防止剤、光沢剤、色調剤、泡抑制剤、染料、香料、香料送達系、構造化剤、キャリア、ヒドロトロープ、加工助剤、顔料、及びこれらの混合物からなる群から選択される成分を更に含有する、請求項１に記載の洗剤組成物。
【請求項１３】
前記組成物がホスホネートキレート化剤を含有する、請求項１２に記載の洗剤組成物。
【請求項１４】
染みのついた布地を処理する方法であって、
請求項１に記載の洗剤組成物を前記布地の染みのついた部分に適用する工程を含む、方法。
【国際調査報告】
2014527108.tif 000021
2014527108.tif 000022